(57)【特許請求の範囲】
【請求項１】
第１の装置側または第２の装置側で保持している前記第２の装置側の表示装置の基準プロファイルに対して、前記第１の装置側で保持している前記基準プロファイルに関連する調整用データを、前記第１の装置側からネットワークを介して前記第２の装置側に送信する調整用データ送信過程と、
前記第２の装置側の表示装置上に前記調整用データに基づく調整用画像とガイダンスを表示する調整用画像表示過程と、
前記ガイダンスに従う操作が行われたとき、前記表示装置のプロファイルに関連するデータを収集する表示装置調整情報収集過程と、
収集した表示装置調整情報に基づき前記第２の装置側または第１の装置側で前記基準プロファイルを修正し、修正した基準プロファイルを新たな基準プロファイルとして前記第１の装置側または前記第２の装置側で保持する基準プロファイル修正保持過程と
を有することを特徴とする表示装置の調整方法。
【請求項２】
請求項１記載の方法において、
前記基準プロファイル修正保持過程において、前記第１の装置側または第２の装置側に保持した新たな基準プロファイルを、前記第２の装置側のカラー管理システム上のＩＣＣプロファイルに準拠したプロファイルに自動的に組み込むプロファイル組込過程を有することを特徴とする表示装置の調整方法。
【請求項３】
表示装置のプロファイルに関連する調整用データを保持する調整用データ保持手段を有する第１の装置と、
表示装置と、
前記第１の装置側からネットワークを介して前記調整用データが送信されたのを検知したとき、前記表示装置上に前記調整用データに基づく調整用画像とガイダンスを表示する表示制御手段と、
前記表示装置に対して前記ガイダンスに従う操作が行われたとき、この操作に基づき前記表示装置のプロファイルに関連するデータを収集する表示装置調整情報収集手段を有する第２の装置を備え
更に前記第１の装置は、前記第２の装置側の表示装置の基準プロファイルを保持するプロファイル保持手段と、前記基準プロファイルを修正するプロファイル修正手段とを備え、
前記第２の装置は、前記表示装置調整情報収集手段により収集された前記表示装置のプロファイルに関連するデータを表示装置調整情報としてネットワークを介して前記第１の装置側の前記プロファイル修正手段に送信し、
前記プロファイル修正手段は、送信されてきた表示装置調整情報に基づき前記基準プロファイルを修正し、前記プロファイル保持手段は、修正された基準プロファイルを新たな基準プロファイルとして保持する
ことを特徴とする表示装置の調整装置。
【請求項４】
表示装置のプロファイルに関連する調整用データを保持する調整用データ保持手段を有する第１の装置と、
表示装置と、
前記第１の装置側からネットワークを介して前記調整用データが送信されたのを検知したとき、前記表示装置上に前記調整用データに基づく調整用画像とガイダンスを表示する表示制御手段と、
前記表示装置に対して前記ガイダンスに従う操作が行われたとき、この操作に基づき前記表示装置のプロファイルに関連するデータを収集する表示装置調整情報収集手段を有する第２の装置を備え
前記第１の装置は、さらに、前記第２の装置側の表示装置のプロファイルを修正するプロファイル修正手段を備え、
前記第２の装置は、さらに、該第２の装置側の表示装置の基準プロファイルを保持するプロファイル保持手段を備え、
前記第２の装置は、前記表示装置調整情報収集手段により収集された前記表示装置のプロファイルに関連するデータを表示装置調整情報としてネットワークを介して前記第１の装置側の前記プロファイル修正手段に送信するとき、前記プロファイル保持手段に保持されている基準プロファイルを併せて送信し、
前記プロファイル修正手段は、送信されてきた基準プロファイルを、送信されてきた表示装置調整情報に基づき修正し、
前記第１の装置は、修正した基準プロファイルを前記第２の装置に送信し、前記プロファイル保持手段は、修正された基準プロファイルを新たな基準プロファイルとして保持する
ことを特徴とする表示装置の調整装置。
【請求項５】
請求項３記載の装置において、
前記プロファイル保持手段に保持された新たな基準プロファイルを、前記第２の装置側のカラー管理システム上のＩＣＣプロファイルに準拠したプロファイルファイルに自動的に組み込むプロファイル組込手段を有することを特徴とする表示装置の調整装置。
【発明の詳細な説明】
【０００１】
【発明の属する技術分野】
この発明は、利用者がデータ処理システム等と交信するためのキーボードやディスプレイを有し、該ディスプレイ（表示装置）の色の見えを考慮した端末装置に関する。
【０００２】
また、この発明は、ＣＲＴ表示装置や液晶表示装置等、いわゆるディスプレイの電光変換特性である入出力特性を得るための入出力特性測定方法および入出力特性算出装置に関する。
【０００３】
さらに、この発明は、前記表示装置の色の見えに関するプロファイルを生成するための表示装置のプロファイル生成方法およびプロファイル生成装置に関する。
【０００４】
さらにまた、この発明は、前記表示装置のプロファイル等に関する調整を簡易化するための表示装置の調整方法および表示装置の調整装置に関する。
【０００５】
さらにまた、この発明は、例えば、画面の色の見え等を調整するとき、あるいは、その画面を有する装置の入出力特性を算出するとき等に用いて好適なプログラムが記録された記録媒体に関する。
【０００６】
【従来の技術】
高性能パーソナルコンピュータ（以下、ＰＣともいう。）の普及やスキャナ等の画像入力機、カラープリンタ等の画像出力機の低価格化により、個人でカラー画像を扱う機会が増えてきている。すなわち、個人でカラー画像を扱えるようになるにつれ、色の再現性が問題になってきている。原画像とディスプレイの表示画像、あるいは原画像とプリンタの印刷画像、さらにはディスプレイの表示画像とプリンタの印刷画像など、それぞれの画像の色を同じ色として再現することができないという問題である。これらの問題は、異なる入出力装置では、発色機構や色再現域などの色特性が異なるということを原因としている。
【０００７】
カラーマネージメントシステム（以下、ＣＭＳともいう。) は、ディスプレイ、スキャナ、カラープリンタ等、異なる入出力装置の色の見えを合わせる技術である。このＣＭＳを用いることで、スキャナで読み込んだ画像とディスプレイに表示された画像、さらにカラープリンタで出力された画像のそれぞれの色の見えを一致させることが可能となり、異なる入出力装置から出力される種々の画像に対して、色の見えに関する違和感をユーザに感じさせることのない画像処理システムを構築できる。
【０００８】
近時、Ｗｉｎｄｏｗｓ（登録商標）９５のＩＣＭ１．０（Image Color Matching）やＭａｃｉｎｔｏｓｈ（登録商標）環境のＣｏｌｏｒＳｙｎｃ（登録商標）２．０のようにＯＳレベルでＣＭＳの枠組みが組み込まれている。入出力装置を提供する機器メーカはこれらＩＣＭ１．０あるいはＣｏｌｏｒＳｙｎｃ（登録商標）２．０に合わせたデバイスプロファイル（機器プロファイルともいう。）をユーザに提供することで、ディスプレイの表示画像とプリンタの印刷画像など、異なる画像出力デバイスの画像間で、ユーザは違和感を感じない画像を見ることができる。
【０００９】
ＩＣＭ１．０やＣｏｌｏｒＳｙｎｃ（登録商標）２．０のデバイスプロファイルは、ＩＣＣ（International Color Consortium：国際色彩コンソーシアム）が提唱しているＩＣＣプロファイルに準拠している。入出力機器メーカはＩＣＣプロファイルの仕様に準じた機器プロファイルを提供することで、Ｗｉｎｄｏｗｓ（登録商標）環境下のユーザでもＭａｃｉｎｔｏｓｈ（登録商標）環境下のユーザでも同じように、色の見えに違和感を感じない画像を得ることができ、種々の入出力装置を色の見えに対して違和感なく使用することができる。
【００１０】
今日、コンピュータ環境下でＣＭＳを行う場合には、入出力装置の特性を保持する情報として、上記ＩＣＣプロファイルが一般的に用いられている。
【００１１】
図５１は、ＩＣＣプロファイルＩｐの概念的な構成を示している。図５２は、ＩＣＣプロファイルＩｐの具体的な構成例としての１６進のダンプデータを示している。
【００１２】
図５１および図５２に示すように、ＩＣＣプロファイルＩｐは、プロファイルそのものの情報と対象機器（入出力装置）の情報を示す１２８バイト（Ｂｙｔｅ）の固定長のプロファイルヘッダー（profile header）Ｐｈと、どのような情報がどこに格納されているかを示す可変長のタグテーブル（tag table ）Ｔｔと、実際に情報が格納されている可変長データのタグエレメントデータ（tag element data）Ｔｅｄとから構成されている。
【００１３】
ＩＣＣプロファイルＩｐでは、必要なデータは、タグテーブルＴｔ中に、それぞれ４バイトの判別子（ｓｉｇ）タグＴａと、格納アドレスタグＴｂと、データのサイズを表すサイズタグＴｃの合計１２バイトのタグにより記述されている。タグの数（ｎ）は、タグテーブルＴｔの先頭の４バイトのタグ数タグＴｎに書き込まれている。したがって、タグテーブルＴｔの総データ容量は、（４＋１２ｎ）バイトになることが分かる。図５２の例では、タグ数ｎが、ｎ＝４（０００４）ｈ（ｈは１６進表示を示す。）になっている。
【００１４】
タグテーブルＴｔ中、４バイトのタグ数タグＴｎに続く最初の１２バイトのタグであるプロファイル記述タグ（profile description tag ）ＰＤＴ（図５２参照）の内容についてさらに詳しく説明すると、判別子タグＴａである先頭の４バイト（６４６５  ７３６３）は、プロファイル固有の情報（名称）を表しており、格納アドレスタグＴｂである次の４バイト（００００  ００ｂ４）は、タグエレメントデータＴｅｄ中の先頭アドレス（ｂ行４列）を示している。サイズタグＴｃである最後の４バイト（００００  ００７４）には、データのサイズが７４ｈ（ｈは１６進表示を表す。）＝１１６であることが記述されている。この７４ｈのタグエレメントデータＴｅｄもプロファイル記述タグＰＤＴであり、プロファイル固有の情報（名称など）が格納されている。
【００１５】
次の１２バイトのタグであるメディアホワイトポイントタグ（media white point tag ：ｗｔｐｔタグともいう。）ｗｔｐｔで指定されるタグエレメントデータＴｅｄには、白（ｗ）のＣＩＥＸＹＺ値が格納されている。次の１２バイトのタグであるレッドカララントタグ（red colorant tag：ｒＸＹＺタグともいう。）ｒＸＹＺで指定されるタグエレメントデータＴｅｄには、正規化された赤（ｒ）のＣＩＥＸＹＺ値が格納されている。最後の１２バイトのタグであるレッドテーアールシータグ（red TRC tag ：ｒＴＲＣタグともいう。）ｒＴＲＣには、赤（ｒ）の入力−出力（入出力）特性の値（図５２例では１６点）が格納されている。なお、ＩＣＣプロファイルＩｐでは、ＣＩＥＸＹＺ値は、Ｄ５０を標準光源として正規化した値が格納されている。
【００１６】
図５３は、ＣＩＥＬＵＶ均等色空間上でのＣＲＴ等の表示装置であるディスプレイの色再現範囲を示している。
【００１７】
図５４は、ＣＩＥＸＹＺの測定例の表図を示している。
【００１８】
図５５は、ディスプレイの場合の入出力特性であるγ特性（電光変換特性）の例を示している。
【００１９】
すなわち、ディスプレイの場合、図５３に示すようなＲ，Ｇ，Ｂ各色が最大値の色（Ｒｍａｘ，Ｇｍａｘ，Ｂｍａｘ）のときのＣＩＥＸＹＺ値（図５４参照）と、図５５に示すようなＲ，Ｇ，Ｂ各色の入出力特性とが分かれば、国際標準会議（ＩＥＣ：international electrotechnical comission）で規定されている次の（１）式に示すγ係数値の算出式（ＩＥＣ１９６６−３）によりγ係数値を算出することができ、また、公知の線形な変換式である次の（２）式〜（５）式を用いてディスプレイの表示特性を把握することができる。なお、Ｒ，Ｇ，Ｂ各色のＣＩＥＸＹＺ値を色再現範囲、ディスプレイの入出力特性をγ特性という。
【００２０】
【数１】
0003678000.tif 000002
【００２１】
この（１）式において、ｘｉは入力電圧の値を表し、ｙｉは表示輝度の値を表す。
【００２２】
ｘ  ＝Ｘ／（Ｘ＋Ｙ＋Ｚ）                    …（２）
ｙ  ＝Ｙ／（Ｘ＋Ｙ＋Ｚ）                    …（３）
ｕ′＝４Ｘ／（Ｘ＋１５Ｙ＋３Ｚ）            …（４）
ｖ′＝９Ｘ／（Ｘ＋１５Ｙ＋３Ｚ）            …（５）
上述したように、ディスプレイ用のＩＣＣプロファイルＩｐには、色再現範囲の情報として、Ｒ，Ｇ，Ｂ各色のＣＩＥＸＹＺ値（例として、図５４参照）をｒＸＹＺ，ｇＸＹＺ，ｂＸＹＺタグにそれぞれ格納している（図５２では、例としてｒＸＹＺタグを示している。）。γ特性は、Ｒ，Ｇ，Ｂ各色の入力−出力（入出力）のポイント値をｒＴＲＣ，ｇＴＲＣ，ｂＴＲＣタグにそれぞれ格納するようにしている。タグ内のポイント数（ポイント値ともいう。）が０のときはその色のγ係数は１．０であることを示し、ポイント数が１のときにはγ係数値そのものが格納されている。ポイント数が２以上のときは、その数だけの入力−出力（入出力）のポイント値が格納されている。図５２例では、１６点の入力−出力のポイント値が格納されており、それぞれ、入力を０．０〜１．０まで１６等分したときの出力値を示す。すなわち、格納されているデータが、例えば、Ｙ1 ，Ｙ2 ，…Ｙn （図５２例ではｎ＝１６）であったとき、（入力，出力）＝（０／ｎ，Ｙ1 ）（１／ｎ，Ｙ2 ）…（ｎ／ｎ，Ｙn ）の関係が格納されていることになる。
【００２３】
これら以外には、ディスプレイの標準白色情報として白の最大値（Ｗｍａｘ）のときのＣＩＥＸＹＺ値（例として、図５４参照）がｗｔｐｔタグに登録されている。
【００２４】
ディスプレイのＩＣＣプロファイルＩｐでは、これら７つの情報（正規化されたＲ，Ｇ，Ｂ各色のＣＩＥＸＹＺ値、Ｒ，Ｇ，Ｂ各色の入出力のポイント値、および正規化された白の最大値の情報）を格納することが一般的である。これら７つの情報は、ディスプレイに色データに基づく色を表示し、測定器（分光放射輝度計などの測色器）で表示輝度やＣＩＥＸＹＺ値を測定することで得られる。通常、ディスプレイのＩＣＣプロファイルＩｐは、メーカ側で基準となるディスプレイを用意し、この基準となるディスプレイを前記測定器を用いて表示色のＣＩＥＸＹＺ値や輝度を測定して得た値をもとにＩＣＣプロファイルＩｐを作成し、ユーザに提供している。
【００２５】
ところで、ディスプレイについてのＩＣＣプロファイルＩｐ等のプロファイルを作成する場合には、ディスプレイの入出力特性を測定する必要がある。
【００２６】
ディスプレイの入出力特性を測定する場合、例えば、メーカがユーザに新しいディスプレイを納品する際、あるいはユーザが所有する既存のディスプレイの色合わせを行う際には、ディスプレイ上で表示する測定用の色の色データ、および色データから色を表示するアプリケーションや、直接ディスプレイに色を表示する信号発生器、ディスプレイに表示された色を測定する測定器等をメーカの担当者が携帯し、これらの資源を利用してメーカの担当者がディスプレイの入出力特性を測定していた。そして、測定結果を元に、ディスプレイを調整し、あるいはディスプレイの色表示補正用のプロファイルを作成し、ディスプレイを利用するシステムにインストールするようにしていた。
【００２７】
もちろん、ディスプレイに対するこれらの調整あるいはプロファイルの作成は、工場出荷の段階で行ってもよく、また、ユーザが保有するディスプレイを工場に移送して行ってもよいが、ディスプレイに表示される色は、そのディスプレイの周囲の照明（環境光）などの映り込みによる影響が大きいため、ディスプレイを使用する場所、この場合、ユーザの使用場所でのディスプレイの設定、あるいはプロファイルの作成を行うことが望ましい。
【００２８】
また、パーソナルコンピュータ（以下、ＰＣという。）を自宅で使っているような一般のユーザでは、上記のようなメーカによるディスプレイの調整作業はコストが高く導入が困難である。そのため、ディスプレイ用のプロファイルデータとして、ディスプレイの購入時に添付されているプロファイル、あるいはＷｉｎｄｏｗｓ（登録商標）９５のようなＯＳに標準添付されている上述したＩＣＣプロファイルＩｐに準拠したプロファイルを使用しているケースがほとんどである。
【００２９】
メーカでは、基準となるディスプレイに各種画像データに基づく画像を表示し、専用の測定器でディスプレイ表面上の輝度や色度を測定し、色変換用のプロファイルを作成し、これをユーザに提供するようにしている。
【００３０】
しかし、ディスプレイを製造する全てのメーカがプロファイルを提供しているわけではなく、また、プロファイルが添付されているディスプレイでも、ディスプレイの個体差や経年変化等の影響により、添付されているプロファイルが使用しているディスプレイに合わない場合あるいは合わなくなる場合もある。
【００３１】
その一方、ユーザが自分で使用しているディスプレイを調整したい場合には、ディスプレイ上の輝度や色度を測定する測定器と、測定のためにディスプレイ上に表示する画像のデータ（調整用の特別のデータであり、基準データともいう。）とが必要となる。
【００３２】
【発明が解決しようとする課題】
ディスプレイの色調整を行う際には、ディスプレイ調整用のデータを収集するための基準データとしての調整用画像の表示用データと、それを測定する測定器が必要である。ディスプレイの色表示はディスプレイが固有に有する色表示特性の他に、照明などの周囲の環境光の影響も加味する必要がある。
【００３３】
このため、従来は、メーカが専用の測定器等の資源を携帯してユーザを訪れ、該ユーザのディスプレイの調整を行ってきた。
【００３４】
しかし、測定器でディスプレイを測定してプロファイルを生成する作業はきわめて複雑であることから、このディスプレイ調整作業は、メーカ側にとってもユーザ側にとっても、コストがかかる原因となっている。
【００３５】
一方、コストの問題などから専門的機材を用いたディスプレイの調整を行うことができないユーザは、メーカが提供したプロファイルを使用することになる。
【００３６】
しかし、ディスプレイは、使用している環境や製造ロット、経過年数などによって、その色表示に違いがある。また、ディスプレイ毎に機器個体差があるため、メーカが提供しているプロファイルが必ずしもユーザのディスプレイに適しているという保証はない。
【００３７】
したがって、ユーザの利用するディスプレイに合ったプロファイルを得るためには、ユーザのディスプレイそのものの色表示特性からプロファイルを作成する必要がある。
【００３８】
しかし、ユーザがディスプレイのプロファイルを作成するためには、ディスプレイ上の輝度や色度を測定する専用の測定器と、測定データを得るために表示する基準データとが必要となり、上述したように測定器は高価であり、ユーザが保持することには負担が大きいという問題がある。また、測定データを得るための基準データは専門的なデータであり、従来このような基準データとして適当なものは明らかにされていない。
【００３９】
一方、上述したように、ディスプレイの表示特性は、メーカ、機種はもちろんのこと、同一機種であってもロット番号や、ディスプレイの動作時間、使用環境（特に、照明環境）などによって異なる。したがって、ディスプレイ１台１台が、全て異なる固有の表示特性をもっていると言っても過言ではない。
【００４０】
そのため、上記ＩＣＣプロファイル等のプロファイルを作成する際には、ディスプレイ固有の表示特性を測定し、その測定結果をプロファイルに反映させる必要があるが、ユーザが、ディスプレイの表示特性を測定できる測定器を保持することはコスト、スペース等の理由から困難であり、結局の所、自分が使用しているディスプレイについてのプロファイル、すなわちそのディスプレイに固有のプロファイルを作成することは困難である。
【００４１】
この発明は、上述した種々の課題を考慮してなされたものであって、付属するＣＲＴ表示装置や液晶表示装置、いわゆるディスプレイの電光変換特性である入出力特性を簡易に測定することを可能とする端末装置を提供することを目的とする。
【００４２】
また、この発明は、前記入出力特性を、ユーザ（利用者）側で簡易に測定・算出することを可能とする表示装置の入出力特性測定方法および入出力特性算出装置を提供することを目的とする。
【００４３】
また、この発明は、ユーザが、専用の測定器を使用することなく、ディスプレイの色の見えに関するプロファイルを生成することを可能とする表示装置のプロファイル生成方法およびプロファイル生成装置を提供することを目的とする。
【００４４】
さらに、この発明は、ユーザが専用の基準データを持つことなしに、ディスプレイのプロファイル等に関する調整を容易に行うことを可能とする表示装置の調整方法および表示装置の調整装置を提供することを目的とする。
【００４５】
さらにまた、この発明は、例えば、画面の色の見え等を調整すること、あるいは画面を有する装置の入出力特性を算出することを可能とするプログラムを記録した記録媒体を提供することを目的とする。
【００４６】
【課題を解決するための手段】
この発明に係る端末装置では、第１の輝度を有する第１の画素と、第２の輝度を有する第２の画素とが所定の割合で配置され、前記第１および第２の画素の輝度の平均値が所定の輝度とされる模様画像領域と、各画素の輝度が一様である濃淡画像領域とを表示装置上に同時に表示するように構成したので、この表示結果に基づき、前記表示装置の入出力特性を簡易に測定することができる。
【００４７】
この場合、前記濃淡画像領域を、さらに小領域に分割し、分割した小領域の輝度が互いに異なるようにすることで、より簡易に入出力特性を測定することができる。
【００４８】
また、前記模様画像領域中の前記第１および第２の画素を規則性を持って配置することで、より簡易に入出力特性を測定することができる。
【００４９】
この発明に係る入出力特性測定方法では、表示過程において、複数の色から構成される模様画像と、該模様画像に用いられている複数の色の間に位置する１つの色からなる濃淡画像とを表示装置に同時に表示し、これらの表示に基づき表示装置の入出力特性を入出力特性導出過程において求めるように構成した。模様画像と濃淡画像とが同時に表示されるので、入出力特性を容易に算出することができる。
【００５０】
この場合、前記模様画像を第１の輝度を有する第１の画素と、第２の輝度を有する第２の画素とが所定の割合で配置され、前記第１および第２の画素の輝度の平均値が所定の輝度とされる画像として表示し、前記濃淡画像を、各画素の輝度が一様である画像として表示するようにすれば、入出力特定を容易に求めることができる。
【００５１】
例えば、表示装置上には、前記模様画像と、階調が段階的に変化する複数の濃淡パッチを含む濃淡パターン画像を表示するようにしてもよく、前記模様画像を表示させた状態で、前記濃淡パターン画像を構成する１つの濃淡パッチ画像を順次切り換えて表示するようにしてもよい。
【００５２】
また、前記模様画像を、例えば、黒画素と白画素からなるドットパターン画像として表示し、濃淡画像を、階調が段階的に変化する灰色の画素からなる複数のパッチを含む濃淡パターン画像として表示し、ドットパターン画像の明るさに最も近い明るさの濃淡パターン画像のパッチを選択し、選択したパッチに基づき表示装置の入出力特性を求めることで、表示装置の灰色に関する入出力特性を簡易に求めることができる。
【００５３】
前記模様画像を、例えば、黒画素と黒以外の色の画素からなるドットパターン画像として表示し、前記濃淡画像を、階調が段階的に変化する前記黒以外の色の画素からなる複数のパッチを含む濃淡パターン画像として表示することで、任意の色の入出力特性を求めることができる。
【００５４】
さらに、例えば、ドットパターン画像における黒以外の色として、Ｒ，Ｇ，Ｂ色の中、いずれかの色を順次選択し、前記濃淡パターン画像の色を、選択された色と同じ色を順次選択するようにすれば、Ｒ，Ｇ，Ｂ各色の入出力特性を求めることができる。
【００５５】
さらに、例えば、白または黒以外の予め定めた色（Ｒ，Ｇ，Ｂ色が含まれてもよい。）について求めた入出力特性を、Ｒ，Ｇ，Ｂ各色の入出力特性の一部あるいは全部に代替するようにしてもよい。
【００５６】
ドットパターン画像として、例えば、黒画素と黒以外の色の画素からなる市松模様画像とした場合には、順次走査方式のディスプレイ等に適用して好適である。
【００５７】
この市松模様画像の各色の表示の大きさを、表示装置の解像度に応じて決定することで、表示画像上でのモアレ等の発生が防止され、測定を容易にすることができる。
【００５８】
黒画素と黒以外の色の画素からなるドットパターン画像における黒画素の存在割合と黒以外の色の画素の存在割合を異なるものとした場合には、表示画像上でより一層モアレ等の発生が防止される。
【００５９】
存在割合を、表示装置の解像度に基づき決定することで、該表示装置に最適なドットパターン画像とすることができる。
【００６０】
求める入出力特性としては、例えば、電光変換特性であるγ特性が採用される。これにより、ほとんど全ての表示装置に対応することが可能となる。
【００６１】
模様画像を、第１の輝度を有する第１の画素からなる線と第２の輝度を有する画素からなる線から構成される表示装置の画面の水平走査方向に平行な縞模様画像として表示し、濃淡画像を、各画素の輝度が一様である画像として表示するようにすることで、例えば、ラスタ走査型の表示装置における水平走査周波数を原因とするデータ値による濃度と表示濃度との差異を除去できる。
【００６２】
例えば、第１の輝度を有する第１の画素からなる線を黒画素からなる線とし、第２の輝度を有する画素からなる線を白画素からなる線を用いることができる。また、例えば、模様画像を、黒画素からなる線と黒以外の色の画素からなる線とから構成される表示装置の画面の水平走査方向に平行な縞模様画像として表示しても同様である。
【００６３】
この発明に係る入出力特性算出装置では、表示制御手段により、模様画像データ保持手段と濃淡画像データ保持手段から読み出した模様画像データと濃淡画像データに基づく模様画像と濃淡画像を表示装置上に同時に表示させ、入出力特性算出手段により、模様画像と濃淡画像の表示に基づき表示装置の入出力特性を求めるように構成した。模様画像と濃淡画像とが同時に表示されるので、入出力特性を容易に算出することができる。
【００６４】
この場合、例えば、表示装置上には、前記模様画像と、階調が段階的に変化する複数の濃淡パッチを含む濃淡パターン画像を表示するようにしてもよく、前記模様画像を表示させた状態で、前記濃淡パターン画像を構成する１つの濃淡パッチ画像を順次切り換えて表示するようにしてもよい。
【００６５】
また、例えば、模様画像を、黒画素と白画素からなるドットパターン画像として表示し、濃淡画像を、階調が段階的に変化する灰色の画素からなる複数のパッチを含む濃淡パターン画像として表示し、ドットパターン画像の明るさに最も近い明るさの濃淡パターン画像のパッチを選択し、選択したパッチに基づき表示装置の入出力特性を求めることで、表示装置の灰色に関する入出力特性を簡易に求めることができる。
【００６６】
さらに、模様画像を、例えば、黒画素と黒以外の色の画素からなる市松模様画像として表示させた場合には、例えば、順次走査方式のディスプレイに好適に適用できる。
【００６７】
この市松模様画像の各色の表示の大きさを、例えば、表示装置の解像度に応じて決定することで、表示画像上でのモアレ等の発生が防止され、測定を容易にすることができる。
【００６８】
また、例えば、黒画素と黒以外の色の画素からなるドットパターン画像における黒画素の存在割合と黒以外の色の画素の存在割合を異なるものとした場合には、表示画像上でより一層モアレ等の発生が防止される。
【００６９】
さらに、例えば、存在割合を、表示装置の解像度に基づき決定することで、該表示装置に最適なドットパターン画像とすることができる。
【００７０】
算出する入出力特性としては、例えば、電光変換特性であるγ特性が採用される。これにより、ほとんど全ての表示装置に対応することが可能となる。
【００７１】
模様画像を、第１の輝度を有する第１の画素からなる線と第２の輝度を有する第２の画素からなる線とから構成される表示装置の画面の水平走査方向に平行な縞模様画像として表示することで、例えば、ラスタ走査型の表示装置における水平走査周波数を原因とするデータ値による濃度と表示濃度との差異を除去できる。
【００７２】
模様画像は、例えば、黒画素からなる線と白画素からなる線とから構成される表示装置の画面の水平走査方向に平行な縞模様画像として表示することで、例えば、ラスタ走査型の表示装置における水平走査周波数を原因とするデータ値による濃度と表示濃度との差異を除去できる。模様画像を、黒画素からなる線と黒以外の色の画素からなる線とから構成される表示装置の画面の水平走査方向に平行な縞模様画像として表示しても同様である。
【００７３】
模様画像として、例えば、ドットパターン画像または縞模様画像を切り換えて表示するようにすることで、種類の異なる表示装置に広範に対応し得る。
【００７４】
この発明に係る表示装置のプロファイル生成方法では、模様画像と濃淡画像とを表示装置に表示し、模様画像と濃淡画像の表示に基づき入出力特性を求め、求めた入出力特性に基づき表示装置のプロファイルを生成するように構成した。模様画像と濃淡画像とを表示装置に同時に表示するようにしたので、表示装置のプロファイルを簡易に生成することができる。
【００７５】
この場合、模様画像を第１の輝度を有する第１の画素と、第２の輝度を有する第２の画素が所定の割合で配置され、前記第１および第２の画素の輝度の平均値が所定の輝度とされる画像として表示し、前記濃淡画像を、各画素の輝度が一様である画像として表示するようにすれば、表示装置のプロファイルをより簡易に生成することができる。
【００７６】
なお、模様画像を、例えば、黒画素と白画素からなるドットパターン画像として表示し、濃淡画像を、階調が段階的に変化する灰色の画素からなる複数のパッチを含む濃淡パターン画像として表示し、ドットパターン画像の明るさに最も近い明るさの濃淡パターン画像のパッチを選択し、選択したパッチに基づき表示装置の入出力特性を求めることで、表示装置の灰色に関する入出力特性を容易に求めることができ、この灰色の入出力特性に基づくプロファイルを生成することができる。模様画像を、例えば、黒画素と黒以外の色の画素からなるドットパターン画像として表示しても同様である。
【００７７】
プロファイル生成過程では、入出力特性に加えて色再現範囲情報とに基づきプロファイルを生成することで、一層正確なプロファイルを生成することができる。
【００７８】
色再現情報として、複数個の代表的な表示装置の色再現範囲情報を保持することで、プロファイル生成対象の表示装置に即したプロファイルを生成することができる。
【００７９】
表示装置の既存のプロファイルを、例えば、求めた入出力特性に基づき修正して使用するようにしてもよく、このようにすれば、修正後のプロファイルを迅速かつ高精度に作成することができる。
【００８０】
ドットパターン画像における黒以外の色として、例えば、Ｒ，Ｇ，Ｂ色のいずれかの色を順次選択し、濃淡パターン画像の色を、選択された色と同じＲ，Ｇ，Ｂ色のいずれかの色を順次選択するようにすれば、Ｒ，Ｇ，Ｂ各色について入出力特性を求めることができ、表示装置に対してより忠実なプロファイルを求めることができる。
【００８１】
そして、例えば、予め定めた色について求めた入出力特性を、Ｒ，Ｇ，Ｂ各色の入出力特性の一部あるいは全部とすることで、入出力特性を迅速に求めることができ、結果として、表示装置のプロファイルを迅速に求めることができる。
【００８２】
また、例えば、ドットパターン画像を、黒画素と黒以外の色の画素からなる市松模様画像とした場合には、例えば、順次走査方式の表示装置に対する適応性の高いプロファイルを生成することができる。
【００８３】
さらに、例えば、ドットパターン画像を、黒画素の存在割合と黒以外の色の画素の存在割合が異なるドットパターン画像とした場合には、モアレ等の発生が防止され、測定が容易になる。
【００８４】
求める入出力特性をγ特性とすることで、ほとんど全ての種類の表示装置に適用可能な入出力特性を算出することができる。
【００８５】
この場合、例えば、求めたγ係数値に基づき複数個の入力値対出力値の関係を算出し、算出した入力値対出力値の関係を含めて前記表示装置のプロファイルを生成することで、ほとんど全ての種類の表示装置に適用可能なプロファイルを生成することができる。
【００８６】
例えば、灰色に関する入出力特性を、黒画素からなる線と白画素からなる線とから構成される縞模様画像を利用して求めることで、ラスタ走査型のディスプレイ等に対応したプロファイルを生成することができる。
【００８７】
さらに、例えば、任意の色に関する入出力特性を、黒画素からなる線と黒以外の色の画素からなる線とから構成される縞模様画像を利用して求めることで、ラスタ走査型ディスプレイ等に対応したプロファイルを生成することができる。
【００８８】
この発明に係る表示装置のプロファイル生成装置では、模様画像と濃淡画像とを表示装置に表示し、模様画像と濃淡画像の表示に基づき入出力特性を求め、求めた入出力特性に基づき表示装置のプロファイルを生成するように構成した。模様画像と濃淡画像とを表示装置に同時に表示するようにしたので、表示装置のプロファイルを簡易に生成することができる。
【００８９】
この場合、模様画像を第１の輝度を有する第１の画素と、第２の輝度を有する第２の画素が所定の割合で配置され、前記第１および第２の画素の輝度の平均値が所定の輝度とされる画像として表示し、前記濃淡画像を、各画素の輝度が一様である画像として表示するようにすれば、表示装置のプロファイルをより簡易に生成することができる。
【００９０】
なお、例えば、模様画像を、黒画素と白画素からなるドットパターン画像として表示し、濃淡画像を、階調が段階的に変化する灰色の画素からなる複数のパッチを含む濃淡パターン画像として表示し、ドットパターン画像の明るさに最も近い明るさの濃淡パターン画像のパッチを選択し、選択したパッチに基づき表示装置の入出力特性を求めることで、表示装置の灰色に関する入出力特性を容易に求めることができ、この灰色の入出力特性に基づくプロファイルを生成することができる。
【００９１】
また、例えば、模様画像を、黒画素と黒以外の色の画素からなるドットパターン画像として表示しても同様である。
【００９２】
プロファイル生成手段では、入出力特性に加えて色再現範囲情報に基づきプロファイルを生成することで、一層正確なプロファイルを生成することができる。
【００９３】
色再現情報として、複数個の代表的な表示装置の色再現範囲情報を保持することで、プロファイル生成対象の表示装置に即したプロファイルを生成することができる。
【００９４】
この場合、例えば、表示装置の既存のプロファイルを、求めた入出力特性に基づき修正して使用するようにしてもよく、このようにすれば、修正後のプロファイルを迅速かつ高精度に生成することができる。
【００９５】
なお、例えば、ドットパターン画像における黒以外の色として、Ｒ，Ｇ，Ｂ色のいずれかの色を順次選択し、濃淡パターン画像の色を、選択された色と同じＲ，Ｇ，Ｂ色のいずれかの色を順次選択するようにすれば、Ｒ，Ｇ，Ｂ各色について入出力特性を求めることができ、表示装置に対してより忠実なプロファイルを求めることができる。
【００９６】
また、例えば、予め定めた色について求めた入出力特性を、Ｒ，Ｇ，Ｂ各色の入出力特性の一部あるいは全部とすることで、入出力特性を迅速に求めることができ、結果として、表示装置のプロファイルを迅速に求めることができる。
【００９７】
さらに、例えば、ドットパターン画像を、黒画素と黒以外の色の画素からなる市松模様画像とした場合には、例えば、順次走査方式の表示装置に対する適応性の高いプロファイルを生成することができる。
【００９８】
さらにまた、例えば、ドットパターン画像を、黒画素の存在割合と黒以外の色の画素の存在割合が異なるドットパターン画像とした場合には、モアレ等の発生が防止され、測定が容易になる。
【００９９】
求める入出力特性をγ特性とすることで、ほとんど全ての種類の表示装置に適用可能な入出力特性を算出することができる。
【０１００】
この場合、求めたγ係数値に基づき複数個の入力値対出力値の関係を算出し、算出した入力値対出力値の関係を含めて前記表示装置のプロファイルを生成することで、ほとんど全ての種類の表示装置に適用可能なプロファイルを生成することができる。
【０１０１】
なお、例えば、灰色に関する入出力特性を、黒画素からなる線と白画素からなる線とから構成される縞模様画像を利用して求めることで、例えば、ラスタ走査型のディスプレイ等に対応したプロファイルを生成することができる。
【０１０２】
また、例えば、任意の色に関する入出力特性を、黒画素からなる線と黒以外の色の画素からなる線とから構成される縞模様画像を利用して求めることで、例えば、ラスタ走査型ディスプレイ等に対応したプロファイルを生成することができる。
【０１０３】
この発明に係る表示装置の調整方法では、第１の装置側からネットワークを介して第２の装置側の表示装置のプロファイルに関連する調整用データを、第２の装置側に送信し、該第２の装置側の表示装置上に前記調整用データに基づく調整用画像とガイダンスを表示し、ガイダンスに従う操作が行われたとき、表示装置のプロファイルに関連するデータを収集する構成とした。このため、収集したデータに基づき容易に表示装置のプロファイルを生成することができる。この場合、ガイダンスとしては、文字、絵文字、音声等によるものを含めることができる。なお、第１の装置としては、例えば、サーバとすることができ、第２の装置としてはクライアントとすることができる。
【０１０４】
この場合、第１の装置側に基準プロファイルを保持し、該基準プロファイルに関連する調整用データを第２の装置側に送信し、該第２の装置側でプロファイルに関連するデータを収集して表示装置調整情報としてサーバに送る。第１の装置は、この表示装置調整情報に基づき、基準プロファイルを修正して更新し、基準プロファイルとして保持するようにしてもよい。基準プロファイルに基づきプロファイルを修正するようにしたので、修正後の正確なプロファイルを簡易に生成することができる。
【０１０５】
基準プロファイルを第２の装置側に保持し、プロファイルの修正を第１の装置側で行ってもよい。
【０１０６】
基準プロファイルを第１の装置側に保持し、プロファイルの修正を第２の装置側で行ってもよい。
【０１０７】
第１の装置側で第２の装置側の表示装置のプロファイルに関連する調整用データを保持し、第２の装置側で、この調整用データに基づき表示装置のプロファイルに関連するデータを収集し、第２の装置側で保持している基準プロファイルを修正するようにしてもよい。
【０１０８】
この場合、修正された新たな基準プロファイルを、第２の装置側のカラー管理システム上のＩＣＣプロファイルに準拠したプロファイルに自動的に組み込むようにしてもよい。
【０１０９】
第１の装置からネットワークを介して第２の装置側に、該第２の装置の表示装置のプロファイルに関連する調整用データを送り、この調整用データに基づく調整用画像とガイダンスを第２の装置側の表示装置上に表示させる。表示装置に装備されている表示調整手段が操作されたとき、該表示調整手段の設定を変更する。このようにすれば、第２の装置が調整用データを保持していなくても、該第２の装置の表示装置の調整を行うことができる。
【０１１０】
第１の装置側で第２の装置側への調整用データ送信年月日を保持し、この調整用データ送信日から一定期間経過後に、第２の装置側に表示装置の調整を促す情報を通知することで、第２の装置の表示装置の設定状態が定期的に更新される。
【０１１１】
この発明に係る表示装置の調整装置では、第２の装置をネットワークを介して第１の装置と接続し、第１の装置が調整用データを保持し、第２の装置側に送信する。第２の装置側の表示制御手段は、送信された調整用データに基づき調整用画像とガイダンスを表示し、このガイダンスに従う操作が行われたとき、第２の装置側の表示装置調整情報収集手段により表示装置のプロファイルに関連するデータを修正する構成とした。第２の装置側で調整用データを保持していなくとも、第２の装置のプロファイルに関連する調整が行える。
【０１１２】
この場合、第１の装置側に基準プロファイルを保持し、該基準プロファイルに関連する調整用データを第２の装置側に送信し、該第２の装置側でプロファイルに関連するデータを収集して表示装置調整情報として第１の装置に送る。該第１の装置は、この表示装置調整情報に基づき、基準プロファイルを修正して更新し、基準プロファイルとして保持するようにしてもよい。基準プロファイルに基づきプロファイルを修正するようにしたので、修正後の正確なプロファイルを簡易に生成することができる。
【０１１３】
基準プロファイルを第２の装置側に保持し、プロファイルの修正を第１の装置側で行ってもよい。
【０１１４】
これとは反対に、基準プロファイルを第１の装置側に保持し、プロファイルの修正を第２の装置側で行ってもよい。
【０１１５】
もちろん、第１の装置側で第２の装置側の表示装置のプロファイルに関連する調整用データを保持し、第２の装置側で、この調整用データに基づき表示装置のプロファイルに関連するデータを収集し、第２の装置側で保持している基準プロファイルを修正するようにしてもよい。
【０１１６】
この場合、修正された新たな基準プロファイルを、第２の装置側のカラー管理システム上のＩＣＣプロファイルに準拠したプロファイルに自動的に組み込むようにしてもよい。
【０１１７】
第１の装置からネットワークを介して第２の装置側に、該第２の装置の表示装置のプロファイルに関連する調整用データを送り、この調整用データに基づく調整用画像とガイダンスを第２の装置側の表示装置上に表示させる。表示装置に装備されている表示調整手段が操作されたとき、該表示調整手段の設定を変更する。このようにすれば、第２の装置が、調整用データを保持していなくても、第１の装置の表示装置の調整を行うことができる。
【０１１８】
第１の装置側で第２の装置側への調整用データ送信年月日を保持し、この調整用データ送信日から一定期間経過後に、第２の装置側に表示装置の調整を促す情報を通知することで、第２の装置の表示装置の設定状態が定期的に更新される。
【０１１９】
この場合、送信は電子メールを利用して行うことができる。
【０１２０】
例えば、第１の装置をＷＷＷのサーバとし、第２の装置の表示制御手段をＷＷＷのブラウザとしてもよい。
【０１２１】
この発明に係る記録媒体では、第１の輝度を有する画素と、第２の輝度を有する画素とを所定の割合で画面の第２の領域に表示するステップと、各画素の輝度が一様である濃淡画像を前記画面の第２の領域に表示するステップとを有するプログラムを記録しているので、このプログラムをコンピュータで読み取ることにより、そのコンピュータを利用して、例えば、画面の色の見えを調整することが可能となる。
【０１２２】
また、この発明に係る記録媒体では、装置の画面の第１の領域に、第１の輝度を有する画素と第２の輝度を有する画素とを所定の割合で表示するステップと、前記画面の第２の領域に、複数の小領域からなり、該各小領域の各画素の輝度が一様であるとともに、前記各小領域の輝度が異なる濃淡画像を表示するステップと、前記濃淡画像の中からどの小領域が選択されたのかを判別するステップと、選択された小領域に応じて前記装置の入出力特性を算出するステップとを有するプログラムを記録しているので、このプログラムをコンピュータで読み取ることにより、そのコンピュータを利用して、前記装置の入出力特性を算出することができる。
【０１２３】
【発明の実施の形態】
以下、この発明の実施の形態について説明する。なお、以下の説明において、同一のものまたは対応するものには、同一の符号を付ける。
【０１２４】
図１に、この発明が適用された利用者端末装置としてのコンピュータ１０の構成を示す。コンピュータ１０は、公知のように、コンピュータ本体１２とこれに接続される表示装置（表示手段、ディスプレイともいう。）１４、キーボード１６およびマウス１８とから構成されている。
【０１２５】
コンピュータ本体１２には、それぞれ、図示はしないが、判断、計算、および制御手段として機能する中央処理装置（ＣＰＵ）と、制御プログラムやアプリケーションプログラム等が記憶される半導体記憶装置やワーク用として使用される半導体記憶装置、その他、画像データ等が記憶されるハードディスク等の大容量補助記憶装置等の各種の記憶装置（保持手段、蓄積手段）と、ＡＤ変換器やＤＡ変換器等の入出力インタフェース、その他の機器と接続するための各種接続用インタフェースが含まれている。
【０１２６】
このコンピュータ本体１２には、前記接続用インタフェースを介して、画像出力手段としてのＣＲＴディスプレイ等の表示装置１４、データ入力手段や選択手段あるいは指示手段として機能するカーソルキーの付いたキーボード１６やマウス１８等のポインティングデバイス（入力デバイス、選択手段）が接続されている。
【０１２７】
図２は、図１に示すコンピュータ１０に適用された、この発明の一実施の形態のプロファイル生成装置２１の機能ブロック的構成を示している。このプロファイル生成装置２１の構成要素の中、選択手段１６（１８）と表示装置１４以外の構成要素は、ソフトウエアが組み込まれたコンピュータ本体１２により遂行される機能実現手段である。そして、これらのソフトウエアは、プログラムとしてフロッピィディスク１５ＡあるいはＣＤ−ＲＯＭ１５Ｂ等の記録媒体に記録し、これをコンピュータ１０のフロッピィディスクドライブ１７ＡあるいはＣＤ−ＲＯＭドライブ１７Ｂに装着し、例えば、コンピュータ１０に内蔵されたハードディスク等にインストールして使用することもできる。
【０１２８】
プロファイル生成装置２１は、複数の色から構成される模様画像を表す模様画像データを保持する模様画像データ保持手段３０と、１つの色からなる濃淡画像データを保持する濃淡画像データ保持手段３２と、これら模様画像データ保持手段３０と濃淡画像データ保持手段３２とから模様画像データと濃淡画像データとを読み出して、表示装置１４の画面上に模様画像と濃淡画像とを同時に表示させる表示制御手段３１とを有している。
【０１２９】
また、プロファイル生成装置２１は、ユーザの選択により、前記表示装置１４上に表示された模様画像の明るさに最も近い明るさの濃淡画像のパッチを選択する選択手段１６（１８）と、選択したパッチに基づき前記表示装置１４の入出力特性に係るγ（ガンマ）係数を求めるγ係数算出手段３６（入出力特性算出手段）と、γ係数以外の情報、例えば、色再現範囲情報や標準白色情報等の共通情報が格納されている共通情報保持手段３９と、前記γ係数算出手段３６で算出したγ係数値と共通情報保持手段３９に格納されている共通情報に基づき、表示装置１４のプロファイル、例えば、ＩＣＣプロファイルＩｐ（図５１、図５２例参照）を生成するプロファイル生成手段３８とを備えている。
【０１３０】
次に、模様画像データ保持手段３０と濃淡画像データ保持手段３２に保持格納されている模様画像データと濃淡画像データの詳しい内容について表示装置１４上の表示と対応づけて説明する。
【０１３１】
図３に示すように、コンピュータ１０（プロファイル生成装置２１）の表示装置１４の同じ画面上には、表示制御手段３１を通じて、模様画像データ保持手段３０に格納されている模様画像データにより表現される模様画像４０と、濃淡画像データ保持手段３２に格納されている濃淡画像データにより表現される濃淡画像４２とが、領域を分けられて同時に表示される。この場合、模様画像４０の領域は、基本的には、第１の輝度を有する第１の画素４０ａ（図３例ではハッチングを施した黒画素の集合で描いている。）と、第２の輝度を有する第２の画素４０ｂ（図３例では白画素の集合で描いている。）とが所定の割合（図３例では、黒画素と白画素からなる市松模様であって、黒画素と白画素の存在比が１：１）で配置され、該第１および第２の画素の輝度の平均値が所定の値（図３例では、黒と白の中間の値）とされている。なお、模様画像４０は、図３例では、黒と白の２色の組合せ例を示しているが、後述するように、他の色の組合せの市松模様としてもよく、また、２色に限らず、３色、４色以上の色、換言すれば、第１〜第ｎの輝度を有する第１〜第ｎの画素の組合せからなる画像としてもよい。
【０１３２】
一方、濃淡画像４２の領域は、輝度が一様とされている部分を１個またはそれ以上（図３例では５個）を有する構成とされている。
【０１３３】
そして、複数の色から構成される模様画像４０に対して、濃淡画像４２の輝度が一様とされている領域は、それぞれ、前記複数の色の間に位置する１つの色とされている。図３例では、模様画像４０は黒色の画素４０ａと白色の画素４０ｂとから構成され、濃淡画像４２のそれぞれの領域は、この黒色と白色の間に位置すると考えられる色である灰色とされている。
【０１３４】
模様画像４０と濃淡画像４２の構成についてさらに詳しく説明する。
【０１３５】
まず、濃淡画像４２は、図３に示したように、通常、階調が段階的に変化する複数の領域からなる濃淡パッチ４４（図３例では、ハッチングの密度の高い側から低い順に、より黒に近い灰色の濃淡パッチ４４ａ、この濃淡パッチ４４ｂより少し明るい灰色の濃淡パッチ４４ｃ、この濃淡パッチ４４ｃより少し明るい濃淡パッチ４４ｄおよび濃淡パッチ４４ｄより少し明るい濃淡パッチ４４ｅの全５個の濃淡パッチ）を含む画像である。すなわち、上述したように、濃淡画像４２を構成する濃淡パッチ４４ａ〜４４ｅの各色は、黒と白の色の間に位置する１つの色である灰色とされている。
【０１３６】
なお、複数の濃淡パッチ４４ａ〜４４ｅが一度に同じ画面上に表示されている場合、濃淡パターン画像４２という。なお、濃淡パターン画像４２として表示させるのではなく、階調の異なる濃淡パッチ４４ａ〜４４ｅを１つずつ切り換えて表示してもよい。切り換えて表示する場合には、図３中、５つの濃淡パッチ４４ａ〜４４ｅの表示領域を全て同一濃度の濃淡パッチ４４（４４ａ〜４４ｅのいずれか１つの濃淡パッチ）として表示する。なお、模様画像４０は、いずれの場合にも常時、すなわち同時に表示させておく。
【０１３７】
図３では、階調を示すために、濃淡パッチ４４ａ〜４４ｅのそれぞれにハッチングを施したが、実際には、図４に、模式的に示すように、濃淡パターン画像４２を構成する濃淡パッチ４４（４４ａ〜４４ｅ）の各々は、各パッチ全体が１色で、同一濃度（この場合には、輝度が一様）で表示されている画像であり、この濃淡パッチ４４では、入力画像データ値（ＲＧＢ値）を変えることで濃度（輝度）を変化させることができる。
【０１３８】
例えば、コンピュータ１０では、画像の色がＲ，Ｇ，Ｂ色のそれぞれ８ビットのデータで表される。したがって、グレーの濃淡パッチ４４の場合には、Ｒ，Ｇ，Ｂ各画像データの値が（Ｒ，Ｇ，Ｂ）＝（０，０，０）、（１，１，１）、（２，２，２）、…（２５５，２５５，２５５）と変化させたパッチを用いることで、濃淡パッチ４４の色を、画像データ値ＲＧＢが（Ｒ，Ｇ，Ｂ）＝（０，０，０）の黒色から、画像データ値ＲＧＢが（Ｒ，Ｇ，Ｂ）＝（ｘ，ｘ，ｘ）の灰色を経由して画像データ値ＲＧＢが（Ｒ，Ｇ，Ｂ）＝（２５５，２５５，２５５）の白色までのパッチを表示させることができる。
【０１３９】
なお、ディスプレイ１４では、周知のように、Ｒ（赤）Ｇ（緑）Ｂ（青）の各色それぞれが一画素を構成しているが、この実施の形態では、発明の理解を容易とするために、ＲＧＢの一単位を画素（一画素）と見なしている。ただし、ＲＧＢの各色それぞれが一画素を構成すると考えても、この発明を適用可能であることはもちろんである。
【０１４０】
次に、模様画像４０について説明する。模様画像４０は、例えば、図５に示すように、黒以外の画素、例えば、白色画素（単に、白画素ともいう。）と、黒色画素（単に、黒画素ともいう。）の２色からなるドットパターン画像４６であり、白画素｛画像データ値ＲＧＢが（Ｒ，Ｇ，Ｂ）＝（２５５，２５５，２５５）の画素｝と黒画素｛画像データ値ＲＧＢが（Ｒ，Ｇ，Ｂ＝（０，０，０）の画素）のドットからなる。
【０１４１】
このような白画素と黒画素とからなるドットパターン画像４６と、複数階調の濃淡パッチ４４を含む濃淡パターン画像４２が、図３に示したように、表示装置１４に同時に表示される。上述したように、濃淡パターン画像４２を構成する濃淡パッチ４４を、１つずつ表示するようにしてもよい。
【０１４２】
なお、グレー（灰）に限らず、他の色の模様画像４０と濃淡画像４２を用いることもできる。例えば、赤色の場合には、濃淡パターン画像４２の濃淡パッチ４４をＲ，Ｇ，Ｂ各画像データの値（Ｒ，Ｇ，Ｂ）＝（０，０，０）、（１，０，０）、（２，０，０）、…（２５５，０，０）で変化させることで、黒色から赤色へ変化させることができる。これに対応して、ドットパターン画像４６は、黒以外の画素としての赤色の画素（単に、赤画素ともいう。）｛画像データ値ＲＧＢとして（Ｒ，Ｇ，Ｂ）＝（２５５，０，０）の画素｝と黒画素｛画像データＲＧＢとして（Ｒ，Ｇ，Ｂ）＝（０，０，０）の画素｝のドットからなる画像とすればよい。
【０１４３】
なお、以下の説明においては、理解の容易化のために、主に、白画素と黒画素からなる模様画像４０とこれに対応する濃淡画像４２の例について記述しているが、赤と黒、青と黒、緑と黒、赤と白、青と白、緑と白の組合せ等についても、同様に適用することができる。
【０１４４】
ドットパターン画像４６のドットパターンの構成、例えば、ドットの存在比は、黒画素の存在割合と黒以外の色の画素の存在割合を任意に変化させることができる。
【０１４５】
図５に示すドットパターン画像４６は、白画素と黒画素のドット比が１：１のいわゆる市松模様画像であるが、図６に示すドットパターン画像４８は、白画素と黒画素のドット比が白３：黒１の割合になっている。このようにすれば、ドットパターン画像、すなわち模様画像４０の濃度を変えることができる。なお、実際上、ドットパターン画像４６を構成するドット１個の大きさは、ディスプレイ１４の画面を、その法線上、適度に離れた位置で見たときに、画像全体が、擬似的には、中間調に見える程度以下のきわめて小さい大きさに選択している。
【０１４６】
このように、模様画像４０では、ドット比を変えることで、濃淡画像４２では、データのＲＧＢ値を変えることで、それぞれ濃度（輝度）を任意に変えることができる。
【０１４７】
次に、表示装置１４上の模様画像４０と濃淡画像４２との画像表示に基づき、γ係数算出手段３６によりγ特性を測定・算出する作用について説明する。なお、γ特性は、ＣＲＴディスプレイに特有の特性であるが、以下に説明する手法は、ＣＲＴディスプレイに限らず、液晶表示装置やプラズマディスプレイ装置等、種々の表示装置の入出力特性（電光変換特性）を測定・算出する場合にも適用することができる。
【０１４８】
まず、簡単のために、表示装置１４のオフセット値やカットオフ電圧を微小量として無視して説明する。表示装置１４の出力、すなわち表示輝度をＢ（ｙ）とし、表示装置１４の入力、すなわち入力電圧をＥ（ｘ）としたとき、表示輝度Ｂは、入力電圧Ｅに対して、次の（６）式で与えられる。なお、（６）式以降の式において記号「｀」は、累乗を表す。
【０１４９】
Ｂ＝Ｅ｀γ                            …（６）
この（６）式のγの値を「γ係数値」といい、γによる入出力特性をγ特性（図５５参照）という。γ係数値は、先に掲載した図５５のグラフ上の（Ｅ，Ｂ）＝（０，０）、（１，１）以外の１点の入力電圧Ｅと表示輝度Ｂが分かれば、上述した（１）式等によりγ係数値を求めることができる。
【０１５０】
図７に示すように、表示装置１４に市松模様のドットパターン画像４６と５段階の濃淡パターン画像４２とを同時に表示させた結果、ドットパターン画像４６に対して濃淡パッチ４４ｅが同じ色（同じ輝度）に見えたとする。白黒比１：１の市松模様のドットパターン画像４６の表示輝度Ｂ（ｙｉ）は、ｙｉ＝０．５である。このときの濃淡パッチ４４のＲＧＢ値が、図７に示しているように、ＲＧＢ＝（１９２，１９２，１９２）であった場合、入力値Ｅ（ｘｉ）は、ｘｉ＝１９２／２５５＝０．７５３となる。したがって、表示装置１４のγ特性の１点として（入力，出力）＝（Ｅ，Ｂ）＝（ｘｉ，ｙｉ）＝（０．７５３，０．５）の点が測定（判別）できたことになる。
【０１５１】
そこで、γ係数算出手段３６において、（入力，出力）＝（０，０）、（０．７５３，０．５）、（１．０，１．０）の３点を（１）式に代入して解けば、γ係数値としてγ＝２．４５を算出することができる。
【０１５２】
このように、測定対象としての表示装置１４の画面上で、ドットパターン画像４６と、濃淡パターン画像４２とを同時に表示させて比較することで、またはドットパターン画像４６を表示させたままで、濃淡パッチ４４ａ〜４４ｅを順次表示させて比較することで、ドットパターン画像４６と同じ色に見える濃淡パッチ４４ａ〜４４ｅのいずれかを判別し、その判別した濃淡パッチ４４の予め既知のＲＧＢ値（図７参照）からγ係数値を求めることができる。なお、図６に示したような輝度値の異なるドットパターン画像４８を濃淡パターン画像４２（または濃淡パッチ４４のそれぞれ）と比較することで、γ特性上の複数の点が求められることになるので、より精度の高いγ係数値（γ特性）を得ることができる。
【０１５３】
上述したように、ドットパターン画像４６（模様画像４０）とこれに対応する濃淡パターン画像４２は、白画素と黒画素ではなく、赤と黒、青と黒、緑と黒、赤と白、青と白、緑と白等の任意の組合せについても、同様に適用することができる。
【０１５４】
例えば、図８に示すように、画像データＲＧＢ値の同じ２つの色を、（Ｒ，Ｇ，Ｂ）＝Ｋ１（Ｃ１，Ｃ１，Ｃ１）、Ｋ２（Ｃ２，Ｃ２，Ｃ２）（ただし、Ｃ１とＣ２は異なる値）の灰色のドットパターン画像４６で表した場合、このドットパターン画像４６の輝度は、（Ｃ１｀γ＋Ｃ２｀γ）／２で与えられる。
【０１５５】
このドットパターン画像４６が、灰色の濃淡パッチ４４の画像データＲＧＢである（Ｒ，Ｇ，Ｂ）＝Ｋ３（Ｃ３，Ｃ３，Ｃ３）と同じ色に見えた場合、（Ｃ１｀γ＋Ｃ２｀γ）／２＝Ｃ３｀γが成立する。この式からγ係数値を求めることができる。
【０１５６】
したがって、赤色のγ係数値を求める場合には、画像データＲＧＢ値として
（Ｒ，Ｇ，Ｂ）＝Ｋ１（Ｃ１，０，０）、Ｋ２（Ｃ２，０，０）、Ｋ３（Ｃ３，０，０）を使用し、緑色のγ係数値を求める場合には、画像データＲＧＢ値として（Ｒ，Ｇ，Ｂ）＝Ｋ１（０，Ｃ１，０）、Ｋ２（０，Ｃ２，０）、Ｋ３（０，Ｃ３，０）を使用し、青色のγ係数値を求める場合には、画像データＲＧＢ値として（Ｒ，Ｇ，Ｂ）＝Ｋ１（０，０，Ｃ１）、Ｋ２（０，０，Ｃ２）、Ｋ３（０，０，Ｃ３）を使用すればよい。
【０１５７】
上述した例では、γ係数値を求める際に、表示装置１４のオフセット値やカットオフ電圧は、微小な値であるとして無視したが、表示装置１４の種類によっては、これらの値を無視した場合に、高精度なプロファイルを生成することができないという事態が発生する場合がある。このような場合には、オフセット値やカットオフ電圧を加味した方程式でγ係数値を算出する必要がある。
【０１５８】
この場合、Ｒ，Ｇ，Ｂそれぞれのオフセット値をＫｏｒ，Ｋｏｇ，Ｋｏｂとして、カットオフ電圧をそれぞれＲｏ，Ｇｏ，Ｂｏとすると、Ｒ，Ｇ，Ｂの各出力Ｅｒ，Ｅｇ，Ｅｂ（表示輝度であり、図５５では、符号Ｂを用いたが、ここでは、符号Ｂが、Ｒ，Ｇ，ＢのＢと紛らわしいので、符号Ｅを用いている。）は、Ｒ，Ｇ，Ｂのγ係数値をそれぞれγＲ，γＧ，γＢとして、次の（７）式、（８）式、（９）式で表すことができる。
【０１５９】
Ｅｒ＝（Ｒ−Ｒｏ）｀γＲ＋Ｋｏｒ                  …（７）
Ｅｇ＝（Ｇ−Ｇｏ）｀γＧ＋Ｋｏｇ                  …（８）
Ｅｂ＝（Ｂ−Ｂｏ）｀γＢ＋Ｋｏｂ                  …（９）
カットオフ電圧Ｒｏ，Ｇｏ，Ｂｏは、入力のＲＧＢ値を測定対象の表示装置に加えたときに、実際に出力輝度Ｅが変化し始めるときの入力値（ＲＧＢ値）である。
【０１６０】
すなわち、図９に示すように、ＲＧＢ値の異なる複数の濃淡パッチ（この図９例では、９個の濃淡パッチ）を黒側からＲＧＢ値が増加する方向に並べて表示し、色が変わって見えた点のＲＧＢ値、図９例では、（Ｒ，Ｇ，Ｂ）＝（５０，５０，５０）がカットオフのＲＧＢ値になる。この図９例では、図面中に記したように、左端から４個目までの濃淡パッチは、全て黒に見える。
【０１６１】
一方、オフセット値は、表示装置１４の電源オフ時における画面と、黒画像
｛ＲＧＢ値が（ＲＧＢ）＝（０，０，０）｝を表示したときの画面とを比較して、差が判別できなければ、オフセット値はないものとして無視できる。差を感じる場合には、測定を開始する前に、表示装置１４自体に設けられているブライトネスやコントラストなどを調整することで、ブライトネスやコントラストの設定を変化させ、オフセット値が無視できるようにすればよい。このような状態で表示装置１４の測定を行うことで、オフセット値を考慮する必要のない良好な状態で表示装置１４の特性を測定することができる。
【０１６２】
オフセット値Ｋｏｒ，Ｋｏｇ，Ｋｏｂと、カットオフ電圧（カットオフ値）Ｒｏ，Ｇｏ，Ｂｏと、γ特性との関係を図１０に示す。オフセット値Ｋｏｒ，Ｋｏｇ，Ｋｏｂが無視できる点に調整できたとき、オフセット値Ｋｏｒ，Ｋｏｇ，Ｋｏｂは、Ｋｏｒ＝Ｋｏｇ＝Ｋｏｂ＝０となる。
【０１６３】
また、上述の実施の形態においては、模様画像データ保持手段３０に格納されている模様画像データが、黒画素と黒画素以外の画素の存在割合（存在比）が１：１の市松模様のドットパターン画像４６（図５参照）を表す画像データ、または黒画素と黒画素以外の画素の存在割合が異なるドットパターン画像４８（図６参照）を表す模様画像データとしていたが、表示装置１４の種類によっては、模様画像データとして、図１１に模式的に示すように、黒画素からなる線５０ａと黒以外の色の画素からなる線５０ｂ｛実際上、この図１１例では、黒画素からなる線５０ａと黒以外の色の画素からなる線（この例では白線）５０ｂの太さが同じであり、黒画素と白画素の存在比は５０％である。｝とから表示される表示装置１４の画面の水平走査方向に平行な縞模様画像５０を代替して用いた場合の方が、求めたγ係数値の精度がよくなる場合がある。なお、図１１において、濃淡パターン画像４２は、図９で示したのと同様に、複数の濃淡パッチ４４（４４ａ〜４４ｉ）を含む画像として表示する。
【０１６４】
一般に、表示装置がＣＲＴディスプレイ等のラスタ走査方式による表示装置１４では、水平方向の走査周波数が高くなってくると、ドットパターン画像４６、４８の場合には、入力ＲＧＢ値と表示ＲＧＢ値とが一致しない可能性が大きくなるので、模様画像４０として、ドットパターン画像４６、４８に代替して、図１１に示す縞模様画像５０を表示させたほうがγ係数値をより精度よく測定・算出することができる。
【０１６５】
この場合にも、図１２に示すように、黒画素からなる線５２ａと黒以外の色からなる線５２ｂの存在割合を変えた縞模様画像５２を用いて測定することにより、さらにγ係数値の精度を上げることができる。
【０１６６】
これに対して、表示装置１４が液晶表示装置やプラズマディスプレイ装置等の順次走査方式による表示装置では、入力ＲＧＢ値と表示ＲＧＢ値とがＣＲＴディスプレイに比較して一致の程度がよいので、ドットパターン画像４６等を用いることが好ましい場合が多い。
【０１６７】
例えば、液晶表示装置やプラズマディスプレイ装置等においては、黒｛（Ｒ，Ｇ，Ｂ）＝（０，０，０）｝と白｛（Ｒ，Ｇ，Ｂ）＝（２５５，２５５，２５５）｝からなるドットパターン画像４６は、γ係数値がＣＲＴディスプレイ等に比較して値１．０に近いので、中間の灰色｛（Ｒ，Ｇ，Ｂ）＝（１２８，１２８，１２８）｝の濃淡パッチ４４に近い色に見える。
【０１６８】
そこで、模様画像データ保持手段３０にドットパターン画像４６、４８を表す模様画像データと、縞模様画像５０、５２を表す模様画像データの両方を保持し、模様画像切替手段としても機能する選択手段１６（１８）を通じて切り替えて表示装置１４に供給するような構成とすることで、ＣＲＴディスプレイ、液晶表示装置、プラズマディスプレイ装置等、種々の表示装置１４に最適な模様画像データを選択することができる。
【０１６９】
次に、図１３に示すフローチャートを用いて図２例のプロファイル生成装置２１の動作について説明する。
【０１７０】
まず、表示制御手段３１は、模様画像データ保持手段３０から模様画像データを読み出し、この模様画像データにより表現される模様画像４０を表示装置１４上に表示させるとともに（ステップＳ１）、濃淡画像データ保持手段３２から濃淡画像データを読み出し、この濃淡画像データにより表現される濃淡画像４２を表示させる（ステップＳ２）。
【０１７１】
この場合、模様画像４０を表示させた状態において、濃淡画像４２としては、濃度の異なる濃淡パッチ４４を順次表示させ、または濃度の異なる複数の濃淡パッチ４４を含む濃淡パターン画像４２を表示させ、模様画像４０と同じ色（明るさ）に見える濃淡パッチ４４を判別し測定する（ステップＳ３）。この判別は、専用の測定器を用いることで高い精度で判別することができるが、比較測定であるので、人間の目によっても、かなり高い精度で判別することができる。言い換えれば、この発明によれば、人が確実に同じに見えると判別することができる。
【０１７２】
マウス１８やキーボード１６等の選別手段１６（１８）を用いて、表示装置１４上で、図示していないマウスカーソルを同じ色に見える濃淡パッチ４４に合わせてマウス１８の、いわゆるクリック操作を行うことで、専用の測定器を用いなくても、かなり高い精度で判別することができる。
【０１７３】
選択手段１６（１８）の操作に基づく判別選択結果が表示制御手段３１にフィードバックされると、模様画像４０と同じ色（明るさ）であると判別した濃淡パッチ４４のＲＧＢ値が、表示制御手段３１からγ係数算出手段３６に送られる。γ係数算出手段３６は、上述したように、ＲＧＢ値からγ特性の座標点を求め、求めた座標点から入出力特性であるγ係数値を算出する（ステップＳ４）。
【０１７４】
次いで、求めたγ係数値に基づきプロファイル生成手段３８によりＩＣＣプロファイルＩｐ（図５２参照）が生成される（ステップＳ５）。
【０１７５】
ＩＣＣプロファイルＩｐには、図５２を参照して説明したように、γ特性とともに白色情報や色再現範囲情報も含まれる。しかし、γ特性と異なり、表示装置１４の白色や色再現範囲は、同じ種類の表示装置１４であれば、いわゆる機種差がそれほどないため、個々の表示装置１４の白色や色再現範囲を個々に厳密に測定しなくても、基準となる表示装置の白色や色再現範囲情報を使用することでも、十分な精度のプロファイルを生成することができる。そこで、図２例のプロファイル生成装置２１では、基準となる白色情報や基準となる色再現範囲情報を、共通情報として共通情報保持手段３９に予め保持格納させている。このため、プロファイル生成手段３８は、測定して得た表示装置１４に固有のγ係数値と、共通情報保持手段３９から読み出した表示装置１４に共通の白色情報や色再現範囲情報の共通情報を用いてＩＣＣプロファイルＩｐを生成することができる。
【０１７６】
ここで、図１に示したフロッピィディスク１５ＡおよびＣＤ−ＲＯＭ１５Ｂ等の記録媒体には、以下のプログラムを記録しておく。例えば、図３を参照して説明すれば、第１の輝度を有する画素４０ａと、第２の輝度を有する画素４０ｂとを所定の割合で画面の第１の領域（模様画像４０の領域）に表示するステップ（前記ステップＳ１）と、各画素の輝度が一様である濃淡画像４２を前記画面の第２の領域（濃淡画像４２の領域）に表示するステップ（前記ステップＳ２）とを有するプログラムを記録しておく。このプログラムをコンピュータ１０で読み取ることにより、そのコンピュータ１０を利用して、例えば、表示装置１４の画面の色の見えを調整することができる。
【０１７７】
さらに、フロッピィディスク１５ＡおよびＣＤ−ＲＯＭ１５Ｂ等の記録媒体には、表示装置１４（図３参照）の画面の第１の領域（例えば、模様画像４０の領域）に、第１の輝度を有する画素４０ａと第２の輝度を有する画素４０ｂとを所定の割合で表示するステップ（前記ステップＳ１）と、前記画面の第２の領域（例えば、濃淡画像４２の領域）に、複数の小領域（例えば、濃淡パッチ４４ａ〜４４ｅ）からなり、該各小領域の各画素の輝度が一様であるとともに、前記各小領域（したがって、各濃淡パッチ４４ａ〜４４ｅ）の輝度が異なる濃淡画像４２を表示するステップ（前記ステップＳ２）と、濃淡画像４２の中からどの小領域４４ａ〜４４ｅが選択されたのかを判別するステップ（前記ステップＳ３）と、選択された小領域に応じて表示装置１４の入出力特性を算出するステップ（前記ステップＳ４）とを有するプログラムを記録しておく。このプログラムをコンピュータ１０で読み取ることにより、そのコンピュータ１０を利用して、表示装置（コンピュータ１０の表示装置１４）の入出力特性であるγ係数値を算出することができる。前記の記録媒体には、ＩＣＣプロファイルＩｐを生成するステップをも記録するようにしておいてもよい。
【０１７８】
図１４は、この発明の他の実施の形態のプロファイル生成装置２２の構成を示している。
【０１７９】
このプロファイル生成装置２２では、共通情報保持手段３９とプロファイル生成手段３８との間に共通情報選択手段５４を配置した構成としている。共通情報保持手段３９には、複数個の代表的な表示装置、例えば、メーカ別に分類された表示装置にそれぞれ対応する基準となる白色情報や基準となる色再現範囲情報が保持されている。ユーザは、接続されている表示装置１４の種類に応じて、共通情報選択手段５４を通じて、対応する共通情報を選択することができる。
【０１８０】
なお、ユーザが選択するのではなく、ＯＳなどプロファイル生成装置２２自体が選択するように構成してもよい。例えば、Ｗｉｎｄｏｗｓ（登録商標）９５のようなＯＳが搭載されたコンピュータ１０では、表示装置１４は、ＯＳ側に自分自身を識別させるための識別情報である、いわゆるＩＤ情報を送信している。図示はしないが、このようなＩＤ情報を受けて、自動的にコンピュータ１０（プロファイル生成装置２２）が、ＩＤ情報を出力した表示装置１４に最も近い共通情報を共通情報保持手段３９から共通情報選択手段５４を通じて選択するように構成することができる。
【０１８１】
上述したように、ＰＣの環境下では、ＩＣＣプロファイルＩｐを使用したＣＭＳが使われ始めており、メーカ側も表示装置のＩＣＣプロファイルＩｐを、ＯＳあるいは表示装置に添付して販売している。これら既存のＩＣＣプロファイルＩｐは、必ずしもユーザが使用している表示装置１４に適合したものとはなり得ないが、ある程度の精度は有していると考えられる。
【０１８２】
そこで、ＩＣＣプロファイルＩｐを生成するのではなく、既存のＩＣＣプロファイルを修正することで、その表示装置１４に対応した修正後のＩＣＣプロファイルＩｐを生成することが考えられる。
【０１８３】
図１５は、既存のＩＣＣプロファイルＩｐを修正して、修正後のＩＣＣプロファイルＩｐを生成するための実施の形態のプロファイル生成装置２３の構成を示している。このプロファイル生成装置２３では、図１４例のプロファイル生成装置２２に比較して、プロファイル生成手段３８がプロファイル修正手段５８に代替され、代替されたプロファイル修正手段５８に対して、既存のＩＣＣプロファイルＩｐを保持するプロファイル保持手段５６が接続された構成となっている点が相違する。
【０１８４】
次に、このプロファイル生成装置２３の動作について、図１６のフローチャートを参照して説明する。
【０１８５】
まず、表示制御手段３１は、模様画像４０を表示装置１４上に表示させるとともに（ステップＳ１１）、濃淡画像４２を表示させる（ステップＳ１２）。また、プロファイル修正手段５８は、プロファイル保持手段５６から既存のＩＣＣプロファイルＩｐを読み込む（ステップＳ１３）。
【０１８６】
表示制御手段３１は、表示特性を測定し（ステップＳ１４）、γ係数算出手段３６は、測定した表示特性に基づきγ係数値を算出する（ステップＳ１５）。
【０１８７】
プロファイル修正手段５８は、既存のＩＣＣプロファイルＩｐ中の、γ特性の情報（上述したｒＴＲＣタグ，ｇＴＲＣタグ，ｂＴＲＣタグの内容など）を書き換え、γ特性以外の情報（上述したｒＸＹＺ，ｇＸＹＺ，ｂＸＹＺ）は変更せず既にある値をそのまま使用する。このようにして、プロファイル修正手段６８により、既存のＩＣＣプロファイルＩｐが修正された修正後のＩＣＣプロファイルＩｐが生成される（ステップＳ１６）。
【０１８８】
既存のＩＣＣプロファイルＩｐを用いることで、より高い精度でＩＣＣプロファイルＩｐを生成できる可能性が得られる。なお、表示装置１４の表示特性は、時間とともに、いわゆる経時変化が発生するので、一定時間経過後に、ＩＣＣプロファイルＩｐを再生成する必要が生じた場合、修正後のＩＣＣプロファイルＩｐを既存のＩＣＣプロファイルＩｐと見なしてプロファイル保持手段５６に保持するよう構成することで、長期間、高精度なＩＣＣプロファイルＩｐを生成することができる。
【０１８９】
以下、図２、図１４および図１５に示したどのプロファイル生成装置２１〜２３によっても実施できる入出力特性の算出処理およびプロファイル生成処理の各種変形例についてそれぞれ説明する。
【０１９０】
図１７に示す処理例では、Ｒ，Ｇ，Ｂ各色のγ特性をそれぞれ求めている。すなわち、まず、選択手段１６（１８）による色の選択に基づき、表示制御手段３１は、例えば、黒画素と黒以外の画素としてのＲ（赤）画素からなる模様画像４０と、Ｒ（赤）色の濃淡パターン画像４２とを表示装置１４上に表示し（ステップＳ２１，Ｓ２１，Ｓ２３）、赤色の表示特性を測定して（ステップＳ２４）、赤色の入出力特性を算出する（ステップＳ２５）。
【０１９１】
次に、黒画素と緑（Ｇ）画素からなる模様画像４０と緑色の濃淡パターン画像４２とを表示し、緑色の表示特性を測定し、緑色の入出力特性を算出する（ステップＳ２１〜Ｓ２５）。
【０１９２】
最後に、黒画素と青（Ｇ）画素からなる模様画像４０と青色の濃淡パターン画像４２とを表示し、青色の表示特性を測定し、青色の入出力特性を算出する（ステップＳ２１〜Ｓ２５）
このようにして、表示装置１４の色を構成するＲＧＢ３要素全てのγ係数値を求めることで、より精度の高いＩＣＣプロファイルＩｐを生成することができる（ステップＳ２６）。
【０１９３】
ただし、赤色や緑色に比較して、青色は表示装置１４の表示輝度が低く、また、人間の視感度も低いため精度の高い測定が行えない場合がある。このような場合は、青色の入出力特性を赤色や緑色で測定した入出力特性で置き換えるようにしてもよい。
【０１９４】
そこで、図１８に示す処理例では、選択手段１６（１８）により予め格納されている任意の色を指定する（ステップＳ３１）。次に、黒画素と、黒以外の画素としての指定した任意の色の画素からなる模様画像４０と、該任意の色の濃淡パターン画像４２とを表示し（ステップＳ３１、Ｓ３２、Ｓ３３）、その任意の色の表示特性を測定して（ステップＳ３４）、任意の色の入出力特性を算出するとともに、所望の色の入出力特性については、算出した任意の色の入出力特性をそのまま用いる（ステップＳ３５）。そして、ＩＣＣプロファイルＩｐを生成する（ステップＳ３６）。
【０１９５】
なお、指定する色と測定する色とは逆でもよく、フローチャートとして図示はしないが、指定した色のγ特性を、既に測定済みの或る色のγ特性で置換してもよいことはもちろんである。
【０１９６】
図５１に示したＩＣＣプロファイルＩｐのγ係数値格納部（ｒＴＲＣタグ，ｇＴＲＣタグ，ｂＴＲＣタグ）には、上述したように、γ係数値自体を格納することができるほか、入出力（入力−出力）のポイント値を２点以上格納することもできる。
【０１９７】
図１９に示す処理例では、模様画像４０として、ドットパターン画像４６（図５参照）を表示し、併せて濃淡画像４２を表示する（ステップＳ４１、Ｓ４２：図７の表示参照）。
【０１９８】
図７の表示状態において、ドットパターン画像４６と明るさが釣り合う濃淡パッチ４４を判別し、γ特性値を測定する（ステップＳ４３）。ここでは、図７中、符号（５）で示す（Ｒ，Ｇ，Ｂ）＝（１９２，１９２，１９２）の濃淡パッチと、白黒比が１対１であるドットパターン画像４６の色の見えが釣り合っているものとする。
【０１９９】
この場合、図２０に示すように、γ係数値の測定値として、（入力，出力）＝（ｘ，ｙ）＝（０，０）、（０．７５３，０．５）、（１．０，１．０）の３点が得られる。なお、数値Ｂ（ｙ）＝０．５は、白黒比が１：１のドットパターン画像４６の表示輝度Ｂを示し、数値Ｅ（ｘ）＝０．７５３は、測定ＲＧＢ値の値１９２を入力ＲＧＢ値の最大値２５５で割って得られる比の値（１９２／２５５）を示している。図２０は、入力ＲＧＢ値Ｅ（ｘ）が、ｘ＝０．５、表示輝度Ｂ（ｙ）がｙ＝０．５の点Ａ（０．５，０．５）と、Ｅ（ｘ）が、ｘ＝ｘの点Ｃ（ｘ，０）と、γ係数値の不明なγ特性上の、入力ＲＧＢ値Ｅ（ｘ）が、ｘ＝ｘ、表示輝度Ｂ（ｙ）がｙ＝０．５の点Ｂ（ｘ，０．５）をそれぞれ示している。
【０２００】
上記３点の値を、それぞれ、上記（１）式に代入することで、γ係数値としてγ＝２．４４３が算出される（ステップＳ４４）。
【０２０１】
（６）式に示した入出力特性式より、図２１に示すように、６点の入力Ｅ＝（０，０．２，０．４，０．６，０．８，１．０）に対する６点の出力Ｅ｀２．４４３＝（０，０．０１９６，０．１０６６，０．２８７１，０．５７９８，１．０）を算出し（ステップＳ４５）、これら算出した６点の入出力値（入出力組）をＩＣＣプロファイルＩｐに格納することで、新規なＩＣＣプロファイルＩｐを生成することもできる（ステップＳ４６）。
【０２０２】
表示装置１４のγ特性は、一般には、前述した（６）式の関係であるＢ＝Ｅ｀γの関係を有する。しかし、輝度の比較的に暗い低輝度領域（例えば、図２２に示す表示輝度Ｂ（ｙ）がＢ（ｙ）＝０〜０．３５までの領域）、あるいは輝度が比較的に明るい高輝度領域（例えば、図２２に示す表示輝度Ｂ（ｙ）がＢ（ｙ）＝０．６５〜１．０までの領域）では、輝度がＢ（ｙ）＝０．５で求めた（６）式の関係Ｂ＝Ｅ｀γから誤差が生じる場合がある。
【０２０３】
この問題を解決するための処理例を図２３に示す。予め表示装置１４のγ特性を、図２２に示したように複数の領域｛低輝度領域（Ｂ（ｙ）＝０〜０．３５までの領域）、中輝度領域（Ｂ（ｙ）＝０．３５〜０．６５までの領域）、高輝度領域（Ｂ（ｙ）＝０．６５〜１．０までの領域）｝に分割し、白黒比１：１の模様画像４０（この場合、ドットパターン画像４６）と濃淡パターン画像４２を表示して、模様画像４０と明るさの釣り合う濃淡パッチ４４を判別し、中輝度領域での入力ＲＧＢ値Ｅ２＝Ｅ２（ｘ２，０）を測定する（ステップＳ５１〜Ｓ５４）。
【０２０４】
次に、表示する模様画像４０の白黒比を１：３に変更して（ステップＳ５５）、低輝度領域での入力ＲＧＢ値Ｅ１＝Ｅ１（ｘ１，０）を測定する（ステップＳ５１〜Ｓ５４）。
【０２０５】
さらに、表示する模様画像４０の白黒比を３：１に変更して（ステップＳ５５）、高輝度領域での入力ＲＧＢ値Ｅ３＝Ｅ３（ｘ３，０）を測定する（ステップＳ５１〜Ｓ５４）。
【０２０６】
次いで、各輝度領域でのγ係数値を上記（１）式に基づいて算出する（ステップＳ５６）。すなわち、図２４に示すように、入出力関係（入力，出力）＝（０，０）、（ｘ１，０．２５）、（１．０，１．０）から低輝度領域でのγ係数値γ１を算出し、入出力関係（入力，出力）＝（０，０）、（ｘ２，０．５）、（１．０，１．０）から中輝度領域でのγ係数値γ２を算出し、入出力関係（入力，出力）＝（０，０）、（ｘ３，０．７５）、（１．０，１．０）から高輝度領域でのγ係数値γ３を算出する。
【０２０７】
次に、算出したγ係数値γ１，γ２，γ３から各輝度領域で、入力：出力の関係を、各輝度領域で求めた（６）式から算出する（ステップＳ５７）。この場合、図２４に示したように、入力Ｅ（ｘ）＝０．１，０．２，０．３，０．４，０．５，０．６については、γ係数値γ１に基づき出力Ｂ（ｙ）＝Ｂ１１，Ｂ１２，Ｂ１３，Ｂ１４，Ｂ１５，Ｂ１６を算出し、入力Ｅ（ｘ）＝０．７，０．８については、γ係数値γ２に基づき出力Ｂ（ｙ）＝Ｂ１７，Ｂ１８を算出し、入力Ｅ（ｘ）＝０．９については、γ係数値γ３に基づき出力Ｂ（ｙ）＝Ｂ１９を算出する。
【０２０８】
そして、これらの値をＩＣＣプロファイルＩｐとして格納することにより新たなＩＣＣプロファイルＩｐが生成される（ステップＳ５８）。このようにして作成されたＩＣＣプロファイルＩｐは、表示装置１４の特性を忠実に再現するきわめて高精度なものとなる。
【０２０９】
上述したように、ＩＣＣプロファイルＩｐには、γ特性の入力−出力値の関係を格納することが可能であるため、模様画像４０と濃淡パターン画像４２とを比較して得た測定点を、そのまま格納するようにしてもよい。
【０２１０】
すなわち、図２５で示す処理例では、表示する模様画像４０として、白黒比１：３，２：３，３：２，３：１のドットパターン画像４６を順次用いて、図２６に示すように、出力値Ｂ（ｙ）としてＢ（ｙ）＝０．２（１／４），０．４（２／５），０．６（３／５），０．８（３／４）の４点に対する入力値Ｅ（ｘ）としてＥ（ｘ）＝ｘ１，ｘ２，ｘ３，ｘ４を求めている（ステップＳ６１〜Ｓ６５）。
【０２１１】
そして、予め定めた４点の出力値Ｂ（ｙ）に対応する入力値Ｅ（ｘ）についての測定を終了した場合、その入力−出力値の関係（図２７参照）をＩＣＣプロファイルＩｐとして格納することで、ＩＣＣプロファイルＩｐが生成される（ステップＳ６６）。
【０２１２】
図２８、図２９は、この発明のさらに他の実施の形態の構成を示している。図２８は、この実施の形態に係る表示装置の調整システム１００の概念的な構成を示しており、図２９は、この実施の形態に係る表示装置の調整システム１００の具体的な構成例（符号は、同じく１００とする。）を示している。
【０２１３】
図２８、図２９において、表示装置の調整システム１００は、基本的に、それぞれがコンピュータであり、データの保管、管理等の役割を有する第１の装置としてのサーバ１０２と、このサーバ１０２に対して、ＬＡＮやインターネット等の通信回線であるネットワーク１０４を通じて接続される１以上の第２の装置としてのクライアント１０６とから構成される。サーバ１０２は、クライアント１０６の様々な要求に応じて処理を行い、クライアント１０６は、サーバ１０２の機能を利用する。ネットワーク１０４は、サーバ１０２とクライアント１０６との間でのデータ伝送を司る。
【０２１４】
サーバ１０２とクライアント１０６は、それぞれがコンピュータであるので、図１に示したように、コンピュータ本体１２と表示装置１４とキーボード１６およびマウス１８等をそれぞれ備えている。
【０２１５】
サーバ１０２は、各クライアント１０６側の表示装置１４のＩＣＣプロファイルＩｐに関連する調整用データ１０８を保持する調整用データ保持手段１１０と、該調整用データ１０８をネットワーク１０４を通じて対象とするクライアント１０６に送信するための送信手段１１２とを有している。
【０２１６】
クライアント１０６は、ネットワーク１０４を通じて送信されてきた調整用データ１０８を受信する受信手段１１４と、受信した調整用データ１０８に対応する画像（調整用データ１０８に基づく調整用画像とガイダンスのために表示される文字とを含む。）を、自身の表示装置１４上に表示する表示用アプリケーションである表示制御手段３１と、ユーザ１１６によるキーボード１６等の操作に対応して表示装置１４のプロファイルに関連するデータを収集する表示装置調整情報収集手段１１８とを有している。
【０２１７】
図２８、図２９の表示装置の調整システム１００では、表示装置１４のプロファイルに関連する調整を行うための調整用データ１０８が、サーバ１０２側にのみ保持されている。
【０２１８】
次に、図３０に示すフローチャートを参照して、図２８、図２９に示す表示装置の調整システム１００の動作について説明する。
【０２１９】
まず、ユーザ１１６は、自身が使用するクライアント１０６の表示装置１４の調整を行う場合、クライアント１０６から受信手段１１４を通じてサーバ１０２に調整用データ保持手段１１０に保持されている調整用データ１０８の転送を要求する（ステップＳ７１）。
【０２２０】
この転送要求に応じて、サーバ１０２から、調整用データ１０８が送信手段１１２、ネットワーク１０４を通じてクライアント１０６の受信手段１１４に送られる（ステップＳ７２）。
【０２２１】
表示制御手段３１は、受信手段１１４を通じて調整用データ１０８が送られてきたことを検知したとき、表示装置１４上に調整用データ１０８に基づく調整用画像と文字（テキストデータ）によるガイダンス、例えば、「測定器を利用してＣＩＥのＸＹＺ値を測定してください。」を表示する（ステップＳ７３）。
【０２２２】
この場合、表示装置１４上に、例えば、赤色だけからなる濃淡画像が表示され、ユーザ１１６は、表示装置調整情報収集手段１１８の例としての図示していない測定器により前記ガイダンスに従い赤色表示時の色の値を測定する（ステップＳ７３）。
【０２２３】
表示装置１４上に表示された色は、一般には、ＣＩＥのＸＹＺ色度図（図５３参照）上でのＸ値、Ｙ値、Ｚ値として測定される。色を表す値としては、ＣＩＥＸＹＺ値の他にＲＧＢ，ｘｙ，ｕｖ，ｕ′ｖ′等があるが、上記（２）式〜（５）式に、一例を示したように、全てＣＩＥＸＹＺ値から線形変換により求めることができる。
【０２２４】
このようにして色調整用のデータである表示装置調整情報が表示装置調整情報収集手段１１８を通じて収集される（ステップＳ７４）。
【０２２５】
なお、赤色以外に、青、緑、白、灰、黒などいくつかの代表的な色を測定してＸＹＺ値を得ることで表示装置１４のＩＣＣプロファイルＩｐ等に関する調整を行うことができる。
【０２２６】
この例の表示装置の調整システム１００では、測定器さえあれば、ネットワーク１０４を介して調整用データ１０８に対応する調整用画像を表示装置１４上に表示させることで、表示装置１４の色調整を行うためのデータ（上記測定器による測定データ）を、ユーザ１１６が収集することができる。
【０２２７】
このようにして、ネットワーク１０４に接続されている全てのクライアント１０６のユーザ１１６は、例えば、同一の調整用データ１０８に基づき、各クライアント１０６の各表示装置１４のＩＣＣプロファイルＩｐ等に関する調整を行うことができる。
【０２２８】
なお、専門的な測定器を用いなくとも表示装置１４のＩＣＣプロファイルＩｐに関する調整を行うことができる。
【０２２９】
この場合、例えば、図３１に示すように、表示装置１４上に、上述した黒画素と黒以外の色の画素からなるドットパターン画像（この例では、白黒比１：１の市松模様であるドットパターン画像）４６と、階調が段階的に変化する複数の濃淡パッチ４４（４４ａ〜４４ｉ）からなる濃淡パターン画像４２とを表示させるとともに、ガイダンスとして「上の画像と下の画像を比べてみて下さい。」、「上の画像の濃さに最も近い下の画像はどれですか？」、「少しディスプレイから距離をおくと、決めやすいですよ。」等を表示させる。
【０２３０】
表示装置１４の輝度Ｂは、図５５を参照して説明したように、γ特性に沿った発光パターンを示す。γの値がγ＝１．０のときには、白黒のドットパターン画像４６の輝度は、濃淡パターン画像４２の中間の灰色｛（Ｒ、Ｇ、Ｂ）＝（１２７，１２７，１２７）｝の濃淡パッチ４４の輝度と等しくなる。しかし、ＣＲＴディスプレイ等のγ値は１．０より大きいために、白黒のドットパターン画像４６の輝度は、中間の灰色よりも白に近い灰色の濃淡パッチ４４の輝度と等しくなる。したがって、ドットパターン画像４６の輝度がどの濃淡パッチ４４の輝度と釣り合うのかをキーボード１６等により選択することで、表示装置１４のγ特性を得ることができる。言い換えれば、ユーザ１１６は、クライアント１０６上の表示装置１４上に表示されたガイダンスと画像４２、４６に従い、クライアント１０６に対して回答操作を行うことのみで、その回答結果である表示装置１４のＩＣＣプロファイルＩｐに関連するデータがクライアント１０６の表示装置調整情報収集手段１１８により収集される。
【０２３１】
表示装置１４が比較的に高解像度である場合には、白黒のドットパターン画像４６の周波数と描画周波数とが干渉を起こし、モアレと呼ばれる疑似輪郭が表示されてしまう場合がある。このモアレの発生は、ユーザ１１６の目視確認における比較作業の正確性を阻害するおそれがある。そこで、ドットパターン画像４６を白黒比は１：１のまま、換言すれば、いわゆる市松模様のまま、１ドットではなく、２ドット（例えば、注目箇所における連続する２ドットが白ドットであるとき、その上下左右の連続する２ドットを黒ドットとする。）、３ドットのブロックによる模様とすることで、ドット周波数が、描画周波数とは異なるものとなり、干渉が発生しなくなって、モアレを発生せずに測定を行うことができる。
【０２３２】
しかし、大きなドットを用いることでモアレの発生を抑制することができる反面、ドットが大きくなり過ぎると濃淡パッチ４４との比較が難しくなる。濃淡パッチ４４との比較はドットパターン画像４６のドットが小さいほど行い易いので、ドットは必要以上に大きくしない方が好ましい。そのためには、予め表示装置１４の解像度あるいは描画周波数を知り、これに応じたドットの大きさを指定することで、モアレの発生しない最小のドットによる比較測定を行うことができる。
【０２３３】
１ドットの大きさは、表示装置１４の解像度に比例するため、表示装置１４の解像度に応じてブロックの大きさを変化させてもよい。通常、ＰＣ等コンピュータ１０の表示装置１４の解像度には、ＶＧＡ（６４０×４８０）、ＳＶＧＡ（８００×６００）、ＸＧＡ（１０２４×７６８）、ＳＸＧＡ（１２８０×１０２４）などがある。
【０２３４】
これらの解像度に応じてブロックの大きさが異なる複数の画像データを調整用データ１０８として保持する。なお、上述したプロファイル生成装置２１、２２、２３では、模様画像データ保持手段３０に保持する。
【０２３５】
このようにすれば、ユーザ１１６の選択により表示装置１４の解像度に応じてブロックの大きさをコントロールすることができる。
【０２３６】
上述したように、表示装置１４がＣＲＴディスプレイである場合、垂直方向に比較して水平方向の描画周波数が大きいため、ドットパターン画像４６のように横方向に複雑な画像の色は輝度レベルが落ちてしまうことがある。このような場合には、図３２に模式的に示すように、白黒のドットパターン画像４６に代替して、横方向には、周波数のきわめて低周波の横線のみからなる縞模様画像５０を採用する。なお、この図３２例においても、白黒の横線の太さを同じ（結局、縞模様画像５０における黒画素と白画素の存在比が５０％）としている。
【０２３７】
一方、表示装置１４が液晶表示装置等である場合には、横方向の模様によって輝度レベルが落ちることがほとんどない。
【０２３８】
このため、表示装置１４がＣＲＴディスプレイである場合には縞模様画像５０を表示し、液晶表示装置等である場合には市松模様のドットパターン画像４６を表示するというように、表示装置１４の種類に応じて模様を切り換えるようにすることが好ましい。
【０２３９】
このように図２８、図２９に示した表示装置の調整システム１００では、専用の測定器がなくても、ユーザ１１６がクライアント１０６の表示装置１４上に表示された画像を見ながら、ガイダンスに対する質問に答えることで、ドットパターン画像４６と模様画像４０を表示している表示装置１４の特性を表す情報を収集することができる。この場合、表示装置１４の情報（調整情報）を得るための調整用データ１０８をクライアント１０６が保持する必要がなく、サーバ１０２の調整用データ保持手段１１０に保持させておくことのみで、全てのクライアント１０６に対して同一の調整用データ１０８に基づいた表示装置１４の調整を行うことができる。
【０２４０】
なお、図２８、図２９に示した表示装置の調整システム１００では、ネットワーク１０４を介したサーバ１０２とクライアント１０６間でのクライアント１０６の表示装置１４の調整方法について説明しているが、この発明は、ネットワーク１０４を介したサーバ１０２とクライアント１０６のようなシステムに限らず、ネットワークワーク１０４を介した、例えば、パーソナルコンピュータ間でも、それぞれを第１の装置および第２の装置として適用することができる。このことは、以下に説明する実施の形態でも同様である。
【０２４１】
図３３、図３４は、この発明のさらに他の実施の形態の構成を示している。図３３は、表示装置の調整システム１２０の概念的な構成を示しており、図３４は、その具体的な構成例としての表示装置の調整システム（符号は、同じく１２０とする。）を示している。
【０２４２】
なお、繁雑となるので、図３３、図３４に示す表示装置の調整システム１２０や以下に説明する表示装置の調整システムにおいて、上述の表示装置の調整システム１００に示したものと対応するものには同一の符号を付け、その詳細な説明を省略する。
【０２４３】
図３３、図３４に示す表示装置の調整システム１２０は、サーバ１０２と、このサーバ１０２に対し、ネットワーク１０４を通じて接続される１以上のクライアント１０６とから構成される。
【０２４４】
サーバ１０２は、各クライアント１０６側の表示装置１４のＩＣＣプロファイルＩｐに関連する調整用データ１０８を保持する調整用データ保持手段１１０と、基準のプロファイルとして、上述した色の見えを統一するＣＭＳの枠組みとしてのＩＣＣプロファイルＩｐ（図５１、図５２参照）を保持するプロファイル保持手段１２２と、ＩＣＣプロファイルＩｐを修正するプロファイル修正手段１２４と、ネットワーク１０４を介してクライアント１０６とデータの送受信を行う送信手段１１２と受信手段１２６とを有している。なお、ＩＣＣプロファイルＩｐは、上述したように、Ｗｉｎｄｏｗｓ（登録商標）環境のＩＣＭ１．０やＭａｃｉｎｔｏｓｈ（登録商標）環境のＣｏｌｏｒＳｙｎｃ（登録商標）２．０などで用いられている。
【０２４５】
一方、クライアント１０６は、受信手段１１４と、表示制御手段３１と、表示装置調整情報収集手段１１８と、この表示装置調整情報収集手段１１８により収集された表示装置１４のＩＣＣプロファイルＩｐに関連するデータを表示装置調整情報としてネットワーク１０４を介してサーバ１０２に送信する送信手段１２８とを有している。
【０２４６】
図３３、図３４の表示装置の調整システム１２０の作用について概略的に説明すると、このシステム１２０では、サーバ１０２が、サーバ１０２のプロファイル保持手段１２２に予め保持しているＩＣＣプロファイルＩｐを元に、表示装置調整情報収集手段１１８を用いプロファイル修正手段１２４によりＩＣＣプロファイルＩｐを修正する。修正したＩＣＣプロファイルＩｐは測定した表示装置１４に専用のＩＣＣプロファイルＩｐとしてクライアント１０６側に送られる。クライアント１０６は、このＩＣＣプロファイルＩｐを表示制御手段３１中に組み込むことで、表示装置１４上の画像と図示していないプリンタなどの異なる画像入出力装置上に出力される画像の見えを一致させることができる。
【０２４７】
次に、図３５に示す概略的なフローチャートを参照して、図３３、図３４の表示装置の調整システム１２０の動作についてさらに詳しく説明する。
【０２４８】
まず、サーバ１０２の調整用データ保持手段１１０に保持されている上述した調整用データ１０８を送信手段１１２からネットワーク１０４、クライアント１０６の受信手段１１４を通じて表示制御手段３１に送信する（ステップＳ８１）。
【０２４９】
次に、クライアント１０６では、自身の表示装置１４に調整用データ１０８に基づく模様画像であるドットパターン画像４６と濃淡パターン画像４２とガイダンス（質問）を表示し（図３１参照）、表示された画像と質問に対してユーザ１１６がキーボード１６等を使用して回答する（ステップＳ８２）。
【０２５０】
この回答は、表示装置調整情報として表示装置調整情報収集手段１１８により収集され、この回答結果としての表示装置調整情報が、送信手段１２８、ネットワーク１０４およびサーバ１０２の受信手段１２６を通じてプロファイル修正手段１２４に送信される（ステップＳ８３）。
【０２５１】
サーバ１０２は、回答結果としての表示装置調整情報を受けたとき、プロファイル修正用プログラムを起動し、上述したようにγ特性等を算出して、ＩＣＣプロファイルＩｐの内容を修正する（ステップＳ８４）。
【０２５２】
修正されたＩＣＣプロファイルＩｐは、クライアント１０６の表示装置１４に対応付けられてプロファイル保持手段１２２で保持されるとともに、送信手段１１２、ネットワーク１０４および受信手段１１４を介してクライアント１０６の表示制御手段３１の中に組み込まれる（ステップＳ８５）。
【０２５３】
このように図３３、図３４に示す表示装置の調整システム１２０では、クライアント１０６側で、ＩＣＣプロファイルＩｐに関するデータや修正用のプログラムを保持していないのにも関わらず、該クライアント１０６の表示装置１４のＩＣＣプロファイルＩｐを得ることができる。
【０２５４】
図３６は、この発明のさらに他の実施の形態の表示装置の調整システム１３０の構成を示している。この表示装置の調整システム１３０は、図３４に示した表示装置の調整システム１２０の構成と比較して、ＩＣＣプロファイルＩｐを保持するプロファイル保持手段１２２をサーバ１０２側ではなくクライアント１０６側に配した点で異なる。
【０２５５】
この図３６例の表示装置の調整システム１３０では、クライアント１０６が保持している基準プロファイルとしてのＩＣＣプロファイルＩｐを上述の回答結果である表示装置調整情報とともにサーバ１０２に送付する。サーバ１０２では、プロファイル修正手段１２４によりＩＣＣプロファイルＩｐを修正して、再度クライアント１０６側に送付する。これにより、新たな基準プロファイルとしての修正後のＩＣＣプロファイルＩｐが、表示制御手段３１に組み込まれるとともに、プロファイル保持手段１２２に保持される。
【０２５６】
この図３６例の表示装置の調整システム１３０では、サーバ１０２は、クライアント１０６のそれぞれに対応したＩＣＣプロファイルＩｐを保持する必要がないという利点に加え、先に生成してクライアント１０６が既に使用している、クライアント１０６専用のＩＣＣプロファイルＩｐを更新することもできる。
【０２５７】
図示はしないが、この表示装置の調整システム１３０において、図３４例の表示装置の調整システム１２０のサーバ１０２のようにプロファイル保持手段１２２をサーバ１０２側に設けてもよい。そのように構成することで、不測の理由によりサーバ１０２またはクライアント１０６のどちらか一方のＩＣＣプロファイルＩｐが破壊された場合にも、他方のＩＣＣプロファイルＩｐにより修復することができる。
【０２５８】
図３４、図３６に示した、データ伝送を双方向に行う表示装置の調整システム１２０、１３０では、ネットワーク１０４として、共通のプロトコルと共通のアドレス体系を持ち、相互に接続されているネットワークの集合体である、いわゆるインターネットを使用している。
【０２５９】
インターネットを利用した例として、クライアント１０６にデータを送るサーバ１０２には、ＷＷＷ（world wide web）のサーバ（以下、ｈｔｔｐサーバともいう。）を用いている。
【０２６０】
この場合、調整用データ保持手段１１０に保持される調整用データ１０８は、ＷＷＷ用の記述言語であるＨＴＭＬ（hyper text markup language）やＪＡＶＡ（登録商標）などで記述している。
【０２６１】
図３７に、図３１に示した文字によるガイダンスと市松模様のドットパターン画像４６と濃淡パターン画像４２からなる画像のＨＴＭＬソースである調整用データ１０８を示している。このソースをｈｔｔｐサーバとされたサーバ１０２等に調整用データ１０８として配することで、ユーザ１１６は、クライアント１０６上のＮｅｔｓｃａｐｅ（登録商標）  ＮａｖｉｇａｔｏｒやＩｎｔｅｒｎｅｔＥｘｐｌｏｒｅｒなどのＷＷＷブラウザ上に図３１に示した調整用データ１０８に基づく画像を表示することができる。
【０２６２】
ｈｔｔｐサーバとしてのサーバ１０２は、調整用データ１０８に基づく画像を見たユーザ１１６の回答を表示装置調整情報として修正し、プロファイル修正手段１２４により既存のＩＣＣプロファイルＩｐを修正する。
【０２６３】
インターネットのシステムにおいて、ＩＣＣプロファイルＩｐをユーザ１１６であるクライアント１０６に送信する方法としては、電子メール（E-mail）を使用する。この場合、サーバ１０２は、ＷＷＷ用のｈｔｔｐサーバであると同時にメールを送信するメールサーバ（以下、ＳＭＰＴサーバという。）の２つのサーバ機能から構成される必要がある。もちろんｈｔｔｐサーバとＳＭＰＴサーバを異なる複数のサーバで構成し、サーバ間でデータの送受を行うように構成してもよい。
【０２６４】
インターネットを利用した表示装置の調整システム（符号は、１２０、１３０とする。）では、クライアント１０６からＷＷＷブラウザを通じてｈｔｔｐサーバであるサーバ１０２をアクセスしたとき、サーバ１０２からクライアント１０６のｅ−ｍａｉｌアドレス宛に電子メールでＩＣＣプロファイルＩｐが送信される。クライアント１０６では、受け取った電子メールからＩＣＣプロファイルＩｐ部分のみを抽出して表示制御手段３１等に組み込む（インストールする）。
【０２６５】
上述した図３４、図３６に示した表示装置の調整システム１２０、１３０では、ＩＣＣプロファイルＩｐをサーバ１０２側で修正し生成しているが、これに限らず、図３８、図３９に示す表示装置の調整システム１３２のように構成してもよい。
【０２６６】
この例では、サーバ１０２がクライアント１０６に調整用データ１０８を送付するとともに、元となるＩＣＣプロファイルＩｐとプロファイル生成用プログラムを送付することで、クライアント１０６側のプロファイル修正手段１２４によりＩＣＣプロファイルＩｐを生成することができる。プロファイル生成用プログラムの例としては、ＪＡＶＡ（登録商標）言語を用いる。ＪＡＶＡ（登録商標）言語は、インターネットのＷＷＷ環境に適した言語であり、生成用プログラムはＷＷＷサーバとしてのサーバ１０２上に保持されるが、クライアント１０６からのリクエストにより該生成用プログラム自体をＪＡＶＡ（登録商標）言語によりクライアント１０６側に送ることで、クライアント１０６の図示していないＣＰＵ上で、プロファイル生成用プログラムを動作させることができる。
【０２６７】
このように構成した場合には、プロファイル生成用プログラムにより機能するプロファイル修正手段１２４を動作させるための表示装置調整情報のデータをネットワーク１０４を介してサーバ１０２に送信する必要がないので、プロファイルの生成のためにサーバ１０２のＣＰＵを使用する必要がなくなり、ネットワーク１０４やサーバ１０２の負荷を軽減することができる。
【０２６８】
すなわち、この図３８、図３９に示す表示装置の調整システム１３２では、図４０のフローチャートに示すように、ＩＣＣプロファイルＩｐとプロファイル修正用のプログラムと調整用データ１０８とをともにサーバ１０２からクライアント１０６に送り（ステップＳ９１）、表示された調整用データに基づく画像およびガイダンスに対してユーザ１１６が回答する（ステップＳ９２）。これによりクライアント１０６側でプロファイル生成用プログラムが実行され、プロファイル修正手段１２４により、回答結果を元にＩＣＣプロファイルＩｐが修正される（ステップＳ９３）。
【０２６９】
ここでプログラム言語の例としては、上述したようにＪＡＶＡ（登録商標）言語を用いている。インターネット上ではデータの分散環境が実現されている。各サーバ１０２にデータを保持し、ユーザ１１６の要求に応じてデータを送信する。ネットワーク用の通信プログラム言語として開発されたＪＡＶＡ（登録商標）言語は、プログラム自体はサーバ１０２にあるが、ユーザ１１６の要求に応じてデータとともにプログラムも送ることができるので、ユーザ１１６側のコンピュータであるクライアント１０６上で、送られたきたプログラムにより動作させることができる。
【０２７０】
ＩＣＣプロファイルＩｐは、クライアント１０６に保持させてもよい。図４１に、この例の表示装置の調整システム１３４の構成を示す。この図４１例では、サーバ１０２からクライアント１０６に調整用データ１０８を送るとともにプロファイル生成用プログラムを送り、クライアント１０６側で、プロファイル生成用プログラムに基づきプロファイル修正手段１２４を動作させ、プロファイル保持手段１２２に保持されているＩＣＣプロファイルＩｐを元にＩＣＣプロファイルＩｐを修正する。
【０２７１】
Ｗｉｎｄｏｗｓ（登録商標）９５やＷｉｎｄｏｗｓ（登録商標）９８のＩＣＭ１．０では、ＩＣＣプロファイルＩｐは予め定められているシステム関連のフォルダ（Ｃ：￥Ｗｉｎｄｏｗｓ（登録商標）￥Ｓｙｓｔｅｍ￥Ｃｏｌｏｒ）に格納されている。これは、Ｍａｃｉｎｔｏｓｈ（登録商標）のＣｏｌｏｒＳｙｎｃ（登録商標）２．０でも同様である。
【０２７２】
そこで、図４２に示すさらに他の実施の形態に係る表示装置の調整システム１３６では、クライアント１０６側のプロファイル修正手段１２４で修正したＩＣＣプロファイルＩｐをインストール手段１３８により、特定の位置である前記システム関連のフォルダに自動的にインストールするようにすることで、ユーザ１１６自身によるインストール操作の手間を省くことができる。
【０２７３】
図４３、図４４は、この発明のさらに他の実施の形態の構成を示している。この表示装置の調整システム１４０では、サーバ１０２から送信される調整用データ１０８に基づき、クライアント１０６のＣＲＴディスプレイ等の表示装置１４の表示色に与える影響の大きいコントラスト、ブライトネス、色温度、コンバージェンス、モニタの歪みなどの調整を、ユーザ１１６自身が直接行えるように構成している。
【０２７４】
すなわち、この例ではＩＣＣプロファイルＩｐを使用するのではなく、このＩＣＣプロファイルＩｐに関連する表示装置１４の設定の共通化を図り、色の表示をある程度均一にすることを目的としている。
【０２７５】
図４５のフローチャートを参照して、表示装置の調整システム１４０の動作を説明すると、サーバ１０２からクライアント１０６に対して調整用データ１０８を送信する（ステップＳ１０１）。
【０２７６】
表示制御手段３１は、図４６に示すように、この調整用データ１０８に基づくガイダンス「上の画像と下の画像を比べてみて下さい。」、「下の濃淡画像の、右から３番めの画像が上の画像の濃さに最も近くなるようにディスプレイのコントラストつまみを調整してください。」、「すこしディスプレイから距離をおくと、見やすいですよ。」と画像｛ここでは、黒画素と白画素の存在比が５０％の市松模様のドットパターン画像４６と濃淡パターン画像４２（濃淡パッチ４４ａ〜４４ｉ）｝を表示する（ステップＳ１０２）。
【０２７７】
ユーザ１１６は、このガイダンスに従い、右から３番目の濃淡パッチ４４とドットパターン画像４６の濃さの見えが同じになるように図示していないコントラスト調整用つまみ（調整用ぼたん）等を設定する（ステップＳ１０３）。
【０２７８】
このようにして、ネットワーク１０４に接続されている全てのクライアント１０６が、サーバ１０２が有する調整用データ１０８に従い表示装置１４を調整することで同じようなディスプレイ表示が得られる。
【０２７９】
この図４３、図４４例の表示装置の調整システム１４０では、表示装置１４の調整のためにＩＣＣプロファイルＩｐを使用しないので、ＩＣＣプロファイルＩｐに対応していないＭＳ−ＤＯＳ（登録商標）やＵＮＩＸ（登録商標）などのＯＳでも、色の見えをある程度共通にすることができる。
【０２８０】
すなわち、この表示装置の調整システム１４０では、いわゆるデバイスプロファイルを作成せず、表示装置１４自身が有する調整機構によりディスプレイを調整するため、ＯＳに関わらず、ネットワーク１０４に接続されている全てのクライアント１０６に適用することができる。
【０２８１】
表示装置１４としての、例えば、ＣＲＴディスプレイでは、蛍光体が時間とともに劣化し、表示される色の鮮やかさ等が落ちてくる。すなわち、表示装置１４が表示する色は、時々刻々経時的に変化する。したがって、表示装置１４の調整（ＩＣＣプロファイルＩｐの調整やコントラスト等の調整）は、一度行えばよいというわけではなく、表示装置１４の劣化に合わせて定期的に行うことが必要になってくる。
【０２８２】
図４７、図４８は、ユーザがクライアント１０６の表示装置１４のプロファイルの調整を定期的に行うことを可能とする表示装置の調整システム１４２の構成を示している。
【０２８３】
この表示装置の調整システム１４２では、サーバ１０２は、計時手段としての内部クロック１４８を有し、この内部クロック１４８の日時時刻情報が調整日時情報保持手段１４４と通知手段１４６に供給される構成とされている。調整日時情報保持手段１４４には、図４９に示すような管理テーブル１５０あるいは管理テーブル１５２が格納されている。管理テーブル１５０は、前回の調整日時の記憶部１５３と、この前回の調整日時から一定期間（一定時間）経過後の次回の調整日時の記憶部１５４と対象とするクライアント１０６のメールアドレスの記憶部１５５とから構成され、管理テーブル１５２は、次回の調整日時の記憶部１５４と対象とするクライアント１０６のメールアドレスの記憶部１５５とから構成されている。
【０２８４】
図５０に示すフローチャートを参照して、図４７、図４８例の表示装置の調整システム１４２の動作について説明する。
【０２８５】
サーバ１０２の調整日時情報保持手段１４４は、管理テーブル１５０、１５２の記憶部１５４に記憶されている次回調整日時と、内部クロック１４８から供給される現在日時とを比較する（ステップＳ１１１）。
【０２８６】
前回の調整日時から一定期間経過した次回調整日時と現在日時とが同じ日時となったときに、通知手段１４６は、記憶部１５５のメールアドレスを参照して、クライアント１０６に、ディスプレイ調整を促す旨の通知をする（ステップＳ１１２）。
【０２８７】
この通知に対してクライアント１０６からの要求があったとき、サーバ１０２は、調整用データ１０８をクライアント１０６に送信するとともに（ステップＳ）、送信した日時を新たな調整日時として記憶部１５３に格納し、この新たな調整日時に一定期間を加えた日時を次回調整日時として記憶部１５４の内容を更新する（ステップＳ１１４）。
【０２８８】
ユーザ１１６は、調整用データ１０８に基づく画像により調整を行う（ステップＳ１１５）。
【０２８９】
このように図４６、図４７例の表示装置の調整システム１４２では、サーバ１０２側では、各クライアント１０６のＩＣＣプロファイルＩｐの生成日時を保持し、一定期間経過後に、対象となったクライアント１０６に表示装置１４の調整を行うように通知する。クライアント１０６は、この通知にしたがって、ＩＣＣプロファイルＩｐを生成することで、表示から経時変化の影響を取り除くことができる。
【０２９０】
なお、図示はしないが、表示装置１４のコントラスト等の定期的なユーザ調整も、図４７のクライアント１０６中の表示装置調整情報収集手段１１８を表示装置１４に代え、この表示装置１４に表示制御手段３１から調整用データを送る構成に変更すればよい（図４３参照）。
【０２９１】
クライアント１０６に通知する手段は、電子メールが好ましい。電子メールはインターネット上の通知手段としてはもっとも一般的である。予め、クライアント１０６のメールアドレスとしてユーザ１１６のＥ−ｍａｉｌアドレスを登録しておき、一定期間経過後に、該Ｅ−ｍａｉｌアドレス宛に表示装置の再調整を促すメールを送信すればよい。表示装置の管理者としてのユーザ１１６のＥ−ｍａｉｌアドレスは、表示装置調整情報収集手段１１８に対するユーザ操作の際に、表示装置調整情報に含めてクライアント１０６から吸い上げる構成とする。
【０２９２】
この場合においても、調整用データ１０８の表示には、図３０を参照して説明したようにＷＷＷを使用する。ＷＷＷは、画像、音声、文字などのマルチメディア表示環境を実現している。ＷＷＷを表示するためのブラウザは、Ｗｉｎｄｏｗｓ（登録商標）やＭａｃｉｎｔｏｓｈ（登録商標）、あるいはＵＮＩＸ（登録商標）など、複数のプラットフォームに供給されており、調整用データ１０８をＷＷＷの記述言語であるＨＴＭＬやＪＡＶＡ（登録商標）で記述することで、プラットフォームによらないでインターネットに接続されている全てのクライアント１０６に対応することができる。
【０２９３】
サーバ１０２に保持される調整用データ１０８の例について概括的に説明する。この調整用データ１０８は、上述したプロファイル生成装置２１、２２、２３（図２、図１３、図１４）の模様画像データ保持手段３０と濃淡画像データ保持手段３２に保持されるデータ内容と略同一の内容であるので、その詳細については説明しないが、サーバ１０２では、クライアント１０６の表示装置１４の種類に応じて最適な調整用データ１０８を送信するようにする。
【０２９４】
なお、この発明は、上述の実施の形態に限らず、この発明の要旨を逸脱することなく、種々の構成を採り得ることはもちろんである。
【０２９５】
【発明の効果】
この発明によれば、複数の色からなる模様画像と１つの色からなる濃淡画像を表示装置に表示させることで、この表示に基づき、ＣＲＴ表示装置や液晶表示装置等、いわゆるディスプレイの電光変換特性である入出力特性を、ユーザ側で簡易に測定・算出することができるという効果が達成される。
【０２９６】
また、この発明によれば、複数の色からなる模様画像と１つの色からなる濃淡画像を表示装置に表示させ、この表示に基づき入出力特性を求め、求めた入出力特性に基づきプロファイルを生成するようにしているので、ユーザが専用の測定器を使用することなく、表示装置の色の見えに関するプロファイルを生成することができるという効果が達成される。
【０２９７】
さらに、この発明によれば、第１の装置側からネットワークを介して第２の装置側に調整用データを送るように構成しているので、第２の装置側のユーザが専用の基準データを持つことなしに、ディスプレイのプロファイル等に関する調整を容易に行うことができるという効果が達成される。
【図面の簡単な説明】
【図１】この発明の一実施の形態が適用されるコンピュータの構成図である。
【図２】図１のコンピュータに適用されたこの発明の一実施の形態のプロファイル生成装置の構成を示すブロック図である。
【図３】プロファイル生成装置の表示装置上の画像表示例を示す線図である。
【図４】濃淡画像の説明に供される線図である。
【図５】模様画像の説明に供される線図である。
【図６】模様画像の他の例の説明に供される線図である。
【図７】ドットパターン画像と濃淡パターン画像の同時表示例を示す線図である。
【図８】任意の色によるγ特性の算出の説明に供される線図である。
【図９】濃淡パッチとＲＧＢ値との関係説明に供される線図である。
【図１０】γ特性のオフセットとカットオフ電圧の説明に供される線図である。
【図１１】縞模様画像と濃淡パターン画像の同時表示例を示す線図である。
【図１２】黒線と白線の存在割合を変えた縞模様画像と濃淡パターン画像の同時表示例を示す線図である。
【図１３】図２例のプロファイル生成装置の動作説明に供される線図である。
【図１４】この発明の他の実施の形態のプロファイル生成装置の構成を示すブロック図である。
【図１５】この発明のさらに他の実施の形態のプロファイル生成装置の構成を示すブロック図である。
【図１６】図１５例のプロファイル生成装置の動作説明に供されるフローチャートである。
【図１７】プロファイル生成処理の変形例を示すフローチャートである。
【図１８】プロファイル生成処理の変形例を示すフローチャートである。
【図１９】プロファイル生成処理の変形例を示すフローチャートである。
【図２０】γ係数値の算出説明に供される線図である。
【図２１】算出されたγ特性から算出されたＩＣＣプロファイル用の６点の入出力値を示す表図である。
【図２２】表示輝度に応じたγ係数値の算出の説明に供される線図である。
【図２３】表示輝度に応じたγ係数値の算出の説明に供されるフローチャートである。
【図２４】表示輝度に応じて算出されたγ係数値の例を示す表図である。
【図２５】複数のドットパターン画像を用いてＩＣＣプロファイルを生成する処理の説明に供されるフローチャートである。
【図２６】図２５の処理の説明に供される線図である。
【図２７】図２５の処理により得られたＩＣＣプロファイル用のデータを示す表図である。
【図２８】この発明の他の実施の形態が適用された表示装置の調整システムの概念的な構成を示す線図である。
【図２９】図２８例のシステムの具体的な構成例を示すブロック図である。
【図３０】図２８、図２９に示すシステムの動作説明に供されるフローチャートである。
【図３１】図２８、図２９に示すシステムにおいて、クライアントの表示装置上に表示される画像とガイダンスの例を示す線図である。
【図３２】図２８、図２９に示すシステムにおいて、クライアントの表示装置上に表示される画像とガイダンスの他の例を示す線図である。
【図３３】この発明のさらに他の実施の形態が適用された表示装置の調整システムの概念的な構成を示す線図である。
【図３４】図３３例のシステムの具体的な構成例を示すブロック図である。
【図３５】図３３、図３４に示すシステムの動作説明に供されるフローチャートである。
【図３６】この発明のさらに他の実施の形態が適用された表示装置の調整システムの概念的な構成を示す線図である。
【図３７】ＨＴＭＬソースの調整用データの例を示す図である。
【図３８】この発明のさらに他の実施の形態が適用された表示装置の調整システムの概念的な構成を示す線図である。
【図３９】図３８例のシステムの具体的な構成例を示すブロック図である。
【図４０】図３８、図３９に示すシステムの動作説明に供されるフローチャートである。
【図４１】この発明のさらに他の実施の形態が適用された表示装置の調整システムの具体的な構成例を示すブロック図である。
【図４２】この発明のさらに他の実施の形態が適用された表示装置の調整システムの具体的な構成例を示すブロック図である。
【図４３】この発明のさらに他の実施の形態が適用された表示装置の調整システムの概念的な構成を示す線図である。
【図４４】図４３例のシステムの具体的な構成例を示すブロック図である。
【図４５】図４３、図４４に示すシステムの動作説明に供されるフローチャートである。
【図４６】ディスプレイ調整用の画像とガイダンスの例を示す線図である。
【図４７】この発明のさらに他の実施の形態が適用された表示装置の調整システムの概念的な構成を示す線図である。
【図４８】図４７例のシステムの具体的な構成例を示すブロック図である。
【図４９】次回調整日時を管理するための管理テーブルの構成例を示す線図である。
【図５０】図４７、図４８に示すシステムの動作説明に供されるフローチャートである。
【図５１】ＩＣＣプロファイルの一般的な構成例を示す線図である。
【図５２】ＩＣＣプロファイルの具体的な構成例を示す表図である。
【図５３】ディスプレイの色再現範囲の説明に供される線図である。
【図５４】ＣＩＥＸＹＺ値等の例を示す表図である。
【図５５】γ特性の説明に供される線図である。
【符号の説明】
１０…コンピュータ（端末装置）      １２…コンピュータ本体
１４…表示装置（ディスプレイ）
１５Ａ…フロッピィディスク（記録媒体）
１５Ｂ…ＣＤ−ＲＯＭ（記録媒体）    １６…キーボード（選択手段）
１７Ａ…フロッピィディスクドライブ  １７Ｂ…ＣＤ−ＲＯＭドライブ
１８…マウス（選択手段）
２１、２２、２３…プロファイル生成装置
３０…模様画像データ保持手段        ３１…表示制御手段
３２…濃淡画像データ保持手段        ３６…γ係数算出手段
３８…プロファイル生成手段          ３９…共通情報保持手段
４０…模様画像                      ４２…濃淡画像
４４…濃淡パッチ                    ４６、４８…ドットパターン画像
５０、５２…縞模様画像              ５４…共通情報選択手段
５６、１２２…プロファイル保持手段
５８、６８、１２４…プロファイル修正手段
１００、１２０、１３０、１３４、１３６、１４０、１４２…表示装置の調整システム
１０２…サーバ（第１の装置）        １０４…ネットワーク
１０６…クライアント（第２の装置）  １０８…調整用データ
１１０…調整用データ保持手段        １１２、１２８…送信手段
１１４、１２６…受信手段            １１６…ユーザ
１１８…表示装置調整情報収集手段    １３８…インストール手段
１４４…調整日時情報保持手段        １４６…通知手段
１４８…内部クロック                １５０、１５２…管理テーブル
１５３…前回調整日時の記憶部        １５４…次回調整日時の記憶部
１５５…メールアドレスの記憶部
【図１】
0003678000.tif 000003
【図２】
0003678000.tif 000004
【図３】
0003678000.tif 000005
【図４】
0003678000.tif 000006
【図５】
0003678000.tif 000007
【図６】
0003678000.tif 000008
【図７】
0003678000.tif 000009
【図８】
0003678000.tif 000010
【図９】
0003678000.tif 000011
【図１０】
0003678000.tif 000012
【図１１】
0003678000.tif 000013
【図１２】
0003678000.tif 000014
【図１３】
0003678000.tif 000015
【図１４】
0003678000.tif 000016
【図１５】
0003678000.tif 000017
【図１６】
0003678000.tif 000018
【図１７】
0003678000.tif 000019
【図１８】
0003678000.tif 000020
【図１９】
0003678000.tif 000021
【図２０】
0003678000.tif 000022
【図２１】
0003678000.tif 000023
【図２２】
0003678000.tif 000024
【図２３】
0003678000.tif 000025
【図２４】
0003678000.tif 000026
【図２５】
0003678000.tif 000027
【図２６】
0003678000.tif 000028
【図２７】
0003678000.tif 000029
【図２８】
0003678000.tif 000030
【図２９】
0003678000.tif 000031
【図３０】
0003678000.tif 000032
【図３１】
0003678000.tif 000033
【図３２】
0003678000.tif 000034
【図３３】
0003678000.tif 000035
【図３４】
0003678000.tif 000036
【図３５】
0003678000.tif 000037
【図３６】
0003678000.tif 000038
【図３７】
0003678000.tif 000039
【図３８】
0003678000.tif 000040
【図３９】
0003678000.tif 000041
【図４０】
0003678000.tif 000042
【図４１】
0003678000.tif 000043
【図４２】
0003678000.tif 000044
【図４３】
0003678000.tif 000045
【図４４】
0003678000.tif 000046
【図４５】
0003678000.tif 000047
【図４６】
0003678000.tif 000048
【図４７】
0003678000.tif 000049
【図４８】
0003678000.tif 000050
【図４９】
0003678000.tif 000051
【図５０】
0003678000.tif 000052
【図５１】
0003678000.tif 000053
【図５２】
0003678000.tif 000054
【図５３】
0003678000.tif 000055
【図５４】
0003678000.tif 000056
【図５５】
0003678000.tif 000057